(57)【要約】  本開示のユーザ機器（ＵＥ）のプロセッサは、プライマリ時間間隔が終了するまでの期間にわたり、またはＲＡＣＨ手順の最大回数に達するまで、または基地局との優先順位付けされたランダムアクセス手順が正常に完了するまで、受信されたパラメータに基づいて、基地局との優先順位付けされたランダムアクセス手順を繰り返し実行するように制御する。プライマリ時間間隔は、複数のセカンダリ時間間隔を含む。プロセッサは、優先順位付けされたランダムアクセス手順を繰り返し実行するように制御するとき、優先順位付けされたランダムアクセス手順が実行されるセカンダリ時間間隔の持続時間のそれぞれにおいて、受信されたランダムアクセス設定パラメータに基づいて、有効なランダムアクセスパラメータを求める。送信機は、それぞれの優先順位付けされたランダムアクセス手順のメッセージを、求められた有効なランダムアクセスパラメータを使用して送信する。【選択図】図６
2021514132.tif 000002
【特許請求の範囲】
【請求項１】
ユーザ機器であって、
動作時、前記ユーザ機器が位置している移動通信システムの無線セルを制御する基地局から、ランダムアクセス設定パラメータを受信する受信機と、
動作時、プライマリ時間間隔が終了するまでの期間にわたり、またはＲＡＣＨ手順の最大回数に達するまで、または前記基地局との優先順位付けされたランダムアクセス手順が正常に完了するまで、前記受信されたランダムアクセス設定パラメータに基づいて、前記基地局との前記優先順位付けされたランダムアクセス手順を繰り返し実行するように制御するプロセッサと、
動作時、それぞれの前記優先順位付けされたランダムアクセス手順のメッセージを、有効なランダムアクセスパラメータを使用して送信する送信機と、
を備えており、
前記プライマリ時間間隔が、複数のセカンダリ時間間隔を含み、
前記プロセッサが、前記優先順位付けされたランダムアクセス手順を繰り返し実行するように制御するとき、少なくとも１回の前記優先順位付けされたランダムアクセス手順が実行される前記セカンダリ時間間隔の持続時間のそれぞれにおいて、前記受信されたランダムアクセス設定パラメータに基づいて前記有効なランダムアクセスパラメータを求める、
ユーザ機器。
【請求項２】
前記ランダムアクセス設定パラメータが、
優先順位付けされた最初のランダムアクセス手順に使用される初期電力値、および、
複数のパワーランピングステップサイズ値であって、各値が、前記各セカンダリ時間間隔内で実行される優先順位付けされた各ランダムアクセス手順に使用される、前回の電力値からの増分を示す、前記複数のパワーランピングステップサイズ値、
を含む、
請求項１に記載のユーザ機器。
【請求項３】
前記パワーランピングステップサイズ値が、前記セカンダリ時間間隔が経過するたびに増大する、
請求項２に記載のユーザ機器。
【請求項４】
前記ランダムアクセス設定パラメータが、２回の連続する優先順位付けされたランダムアクセス手順の間の待機時間を示すシングルバックオフ値をさらに含み、前記シングルバックオフ値が、すべてのセカンダリ時間間隔に適用可能である、
請求項１から請求項３のいずれか１項に記載のユーザ機器。
【請求項５】
前記ランダムアクセス設定パラメータが、複数のバックオフ値を含み、各バックオフ値が、前記各セカンダリ時間間隔内の２回の連続する優先順位付けされたランダムアクセス手順の間のそれぞれの待機時間を示し、
オプションとして、前記複数のバックオフ値が、前記セカンダリ時間間隔が経過するたびに変化する、
オプションとして、前記複数のバックオフ値が、前記セカンダリ時間間隔が経過するたびに減少する、
オプションとして、前記複数のバックオフ値が、前記セカンダリ時間間隔が経過するたびに増大する、および、
オプションとして、前記複数のバックオフ値が、前記複数のセカンダリ時間間隔全体を通じて使用される、増大する値、減少する値、および一定の値、の所定の組合せ、である、
請求項１から請求項３のいずれか１項に記載のユーザ機器。
【請求項６】
前記プロセッサが、動作時、前記プライマリ時間間隔が経過した場合、ビーム失敗リカバリの失敗、またはハンドオーバの失敗を、前記基地局に通知するように制御する、
請求項１から請求項５のいずれか１項に記載のユーザ機器。
【請求項７】
ユーザ機器が位置している移動通信システムの無線セル、を制御する基地局であって、前記基地局が、
動作時、前記ユーザ機器からチャネル状態情報（ＣＳＩ）報告および／または測定報告を受信する受信機と、
動作時、複数のセカンダリ時間間隔を含むプライマリ時間間隔内で前記基地局との優先順位付けされたランダムアクセス手順を繰り返し実行するために前記ユーザ機器によって使用されるランダムアクセス設定パラメータを、前記受信されたＣＳＩ報告および／または前記受信された測定報告に基づいて、決定するプロセッサと、
動作時、前記ユーザ機器が、少なくとも１回の前記優先順位付けされたランダムアクセス手順が実行される前記セカンダリ時間間隔の持続時間のそれぞれにおいて、前記ランダムアクセス設定パラメータに基づいて、有効なランダムアクセスパラメータを求めることができるように、前記決定されたランダムアクセス設定パラメータを前記ユーザ機器に送信する送信機と、
を備えている基地局。
【請求項８】
前記ランダムアクセス設定パラメータが、
・  優先順位付けされた最初のランダムアクセス手順において前記ユーザ機器によって使用される初期電力値、および、
・  複数のパワーランピングステップサイズ値であって、各値が、前記各セカンダリ時間間隔内で実行される優先順位付けされた各ランダムアクセス手順において前記ユーザ機器によって使用される、前回の電力値からの増分を示し、複数の前記セカンダリ時間間隔が前記プライマリ時間間隔に含まれる、前記複数のパワーランピングステップサイズ値、
を含む、
請求項７に記載の基地局。
【請求項９】
前記パワーランピングステップサイズ値が、前記セカンダリ時間間隔が経過するたびに増大する、
請求項８に記載の基地局。
【請求項１０】
前記ランダムアクセス設定パラメータが、２回の連続する優先順位付けされたランダムアクセス手順の間の待機時間を示すシングルバックオフ値をさらに含み、前記シングルバックオフ値が、すべてのセカンダリ時間間隔に適用可能である、
請求項７から請求項９のいずれか１項に記載の基地局。
【請求項１１】
前記ランダムアクセス設定パラメータが、複数のバックオフ値を含み、各バックオフ値が、前記各セカンダリ時間間隔内の２回の連続する優先順位付けされたランダムアクセス手順の間のそれぞれの待機時間を示し、
オプションとして、前記複数のバックオフ値が、前記セカンダリ時間間隔が経過するたびに変化する、
オプションとして、前記複数のバックオフ値が、前記セカンダリ時間間隔が経過するたびに減少する、
オプションとして、前記複数のバックオフ値が、前記セカンダリ時間間隔が経過するたびに増大する、および、
オプションとして、前記複数のバックオフ値が、前記複数のセカンダリ時間間隔全体を通じて使用される、増大する値、減少する値、および一定の値、の所定の組合せ、である、
請求項７から請求項９のいずれか１項に記載の基地局。
【請求項１２】
前記セカンダリ時間間隔の数が、前記基地局によって設定可能であり、かつ、前記ランダムアクセス設定パラメータにさらに含まれており、前記セカンダリ時間間隔の最大数が、利用可能なパワーランピングステップサイズ値の数に一致している、
請求項７から請求項１１のいずれか１項に記載の基地局。
【請求項１３】
前記プロセッサが、動作時、前記受信されたＣＳＩ報告および／または前記受信された測定報告が低いチャネル品質を示している場合、大きいパワーランピングステップサイズを決定し、
前記プロセッサが、動作時、前記受信されたＣＳＩ報告および／または前記受信された測定報告が高いチャネル品質を示している場合、小さいパワーランピングステップサイズを決定する、
請求項８から請求項１２のいずれか１項に記載の基地局。
【請求項１４】
前記プロセッサが、動作時、更新されたランダムアクセス設定パラメータを前記ユーザ機器に送信しなければならないかを、前記受信されたＣＳＩ報告と、前に受信されたＣＳＩ報告との比較に基づいて判定し、
前記送信機が、動作時、前記プロセッサが前記更新されたランダムアクセス設定パラメータを決定した場合に、前記更新されたランダムアクセス設定パラメータを前記ユーザ機器に送信する、
請求項７から請求項１３のいずれか１項に記載の基地局。
【請求項１５】
前記基地局が、ハンドオーバ元基地局の役割を果たし、
前記受信機が、動作時、前記ユーザ機器から測定報告を受信し、
前記プロセッサが、動作時、前記受信された測定報告をハンドオーバ先基地局に転送するように制御し、
前記受信機が、動作時、優先順位付けされたランダムアクセス手順をターゲットセル内で実行するために前記ユーザ機器によって使用される、ターゲットセルに関連するランダムアクセス設定パラメータを、前記ハンドオーバ先基地局から受信し、
前記送信機が、動作時、前記受信された測定報告を前記ハンドオーバ先基地局に転送し、前記ターゲットセルに関連するランダムアクセス設定パラメータを前記ユーザ機器に転送する、
請求項７から請求項１４のいずれか１項に記載の基地局。
【発明の詳細な説明】
【技術分野】
【０００１】
本開示は、通信システム（３ＧＰＰ通信システムなど）における方法、装置、および項目を対象としている。
【背景技術】
【０００２】
現在、第３世代パートナーシッププロジェクト（３ＧＰＰ：the 3rd Generation Partnership Project）は、次世代のセルラー技術（第５世代（５Ｇ）とも称される）の技術仕様の次のリリース（リリース１５）に取り組んでいる。３ＧＰＰの技術仕様グループ（ＴＳＧ：Technical Specification Group）の無線アクセスネットワーク（ＲＡＮ：Radio Access network）会合＃７１（２０１６年３月、Gothenburg）において、ＲＡＮ１、ＲＡＮ２、ＲＡＮ３、およびＲＡＮ４が関与する、５Ｇの最初の検討項目「Study on New Radio Access Technology（新しい無線アクセス技術に関する検討）」が承認され、５Ｇの最初の標準規格を定義するリリース１５の作業項目になるものと予測される。この検討項目の目的は、ＲＡＮの要件の検討時に定義されたように、最大１００ＧＨｚの周波数範囲で動作し、かつ広範なユースケースをサポートする「新無線（ＮＲ：New Radio）」アクセス技術（ＲＡＴ）を開発することである（例えば非特許文献１（現在のバージョン１４．３．０、www.3gpp.orgで入手可能であり、その全体が参照により本明細書に組み込まれている）を参照）。
【０００３】
１つの目的は、非特許文献１に定義されているすべての使用シナリオ、要件、および配置シナリオに対処し、少なくとも、拡張モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、単一の技術的枠組みを提供することである。例えば、ｅＭＢＢの配置シナリオには、屋内のホットスポット、密集都市部、郊外、都市部、および高速が含まれうる。ＵＲＬＬＣの配置シナリオには、産業制御システム、モバイル健康管理（遠隔モニタリング、診断、および治療）、車両のリアルタイム制御、スマートグリッドの広域監視・制御システムが含まれうる。ｍＭＴＣには、スマートウェアラブルやセンサネットワークなど遅延の影響が小さいデータ伝送による多数の装置を使用するシナリオが含まれうる。ｅＭＢＢサービスおよびＵＲＬＬＣサービスは、いずれも極めて広い帯域幅が要求される点において類似しているが、ＵＲＬＬＣサービスは、極めて小さいレイテンシ（待ち時間）（latency）が要求される点において異なる。
【０００４】
第２の目的は、前方互換性を達成することである。ロングタームエボリューション（ＬＴＥ、ＬＴＥ−Ａ）セルラーシステムへの後方互換性は要求されず、これにより、まったく新しいシステムの設計および／または新規の特徴の導入が促進される。
【０００５】
物理層の基本的な信号波形は、ＯＦＤＭに基づいており、非直交波形およびマルチアクセスがサポートされる可能性がある。例えば、ＯＦＤＭに加えての追加機能（ＤＦＴ−Ｓ−ＯＦＤＭ、および／または、ＤＦＴ−Ｓ−ＯＦＤＭのバリエーションなど）、および／または、フィルタリング／ウインドウ化、がさらに考慮されている。ＬＴＥでは、ダウンリンク送信の波形としてサイクリックプレフィックス（ＣＰ）ベースのＯＦＤＭが使用され、アップリンク送信の波形としてＤＦＴ−Ｓ−ＯＦＤＭが使用されている。ＮＲ（新無線）における設計目標の１つは、ダウンリンク、アップリンク、およびサイドリンクのための、できる限り共通の波形を模索することである。
【０００６】
上に挙げた目的を達成するため、波形に加えて、いくつかの基本フレーム構造およびチャネル符号化方式が開発される。検討では、上に挙げた目的を達成するために、無線プロトコルの構造およびアーキテクチャに関する要求事項についての共通の認識も模索される。さらには、上に挙げた目的を満たすために新しいＲＡＴ（無線アクセス技術）を可能にするうえで必要な技術的機能（同じ連続する周波数ブロックにおいて、複数の異なるサービスおよびユースケースのトラフィックを効率的に多重化することを含む）が検討される。
【０００７】
既存のセルラーネットワークのアーキテクチャは、比較的一体的な構造であり、ユーザ装置へのモバイルトラフィックを容易にするトランスポートネットワークを有する。これらのアーキテクチャは、性能およびスケーラビリティの幅広い要件をサポートするうえで十分にフレキシブルではないことがある。
【０００８】
３ＧＰＰの第５世代システムのＮＲの標準化は始まったばかりであるため、特に、優先順位付けされるランダムアクセス手順を効率的に実施することに関して、いくつかの課題が不明確なままである。
【先行技術文献】
【非特許文献】
【０００９】
【非特許文献１】3GPP TR 38.913 “Study on Scenarios and Requirements for Next Generation Access Technologies”
【非特許文献２】Technical Report TR 38.804 v14.0.0
【非特許文献３】TS 38.300 v.15.0.0
【非特許文献４】3GPP TR 38.801 v14.0.0
【非特許文献５】3GPP TS 38.211 v15.0.0
【非特許文献６】3GPP TS 36.321, v14.1.0
【非特許文献７】3GPP Technical Specification 38.321 v15.0.0, section 5.1 “Random Access Procedure”
【非特許文献８】TS 36.321 v14.3.0
【非特許文献９】3GPP TS 36.331, v15.0.1
【非特許文献１０】3GPP TS 38.214 v15.0.0
【発明の概要】
【発明が解決しようとする課題】
【００１０】
非限定的かつ例示的な一実施形態は、複数の異なるエンティティ（ＵＥ、ｇＮＢ）が関与する改善されたランダムアクセス手順を提供することを容易にする。
【課題を解決するための手段】
【００１１】
一般的な第１の一態様においては、本明細書に開示されている技術は、受信機、プロセッサ、および送信機を以下のように備えたユーザ機器、を提供する。受信機は、ユーザ機器が位置している移動通信システムの無線セル、を制御する基地局から、ランダムアクセス設定パラメータ（random access configuration parameter）を受信する。プロセッサは、プライマリ時間間隔（primary time interval）が終了するまでの期間にわたり、またはＲＡＣＨ手順の最大回数に達するまで、または基地局との優先順位付けされたランダムアクセス手順が正常に完了するまで、受信されたランダムアクセス設定パラメータに基づいて、基地局との優先順位付けされたランダムアクセス手順を繰り返し実行するように制御する。プライマリ時間間隔は、複数のセカンダリ時間間隔（secondary time interval）を含む。プロセッサは、優先順位付けされたランダムアクセス手順を繰り返し実行するように制御するとき、少なくとも１回の優先順位付けされたランダムアクセス手順が実行されるそれぞれのセカンダリ時間間隔の持続時間において有効なランダムアクセスパラメータを、受信されたランダムアクセス設定パラメータに基づいて、かつそれぞれのセカンダリ時間間隔に応じて、求める。送信機は、それぞれの優先順位付けされたランダムアクセス手順のメッセージを、求められた有効なランダムアクセスパラメータを使用して送信する。
【００１２】
一般的な第１の一態様においては、本明細書に開示されている技術は、ユーザ機器が位置している移動通信システムの無線セル、を制御する基地局であって、受信機、プロセッサ、および送信機を以下のように備えた、基地局、を提供する。受信機は、ユーザ機器からチャネル状態情報（ＣＳＩ：channel state information）報告および／または測定報告を受信する。プロセッサは、複数のセカンダリ時間間隔を含むプライマリ時間間隔内で基地局との優先順位付けされたランダムアクセス手順を繰り返し実行するためにユーザ機器によって使用されるランダムアクセス設定パラメータを、受信されたＣＳＩ報告および／または受信された測定報告に基づいて、決定する。送信機は、ユーザ機器が、少なくとも１回の優先順位付けされたランダムアクセス手順が実行されるそれぞれのセカンダリ時間間隔の持続時間において有効なランダムアクセスパラメータを、ランダムアクセス設定パラメータに基づいて、かつそれぞれのセカンダリ時間間隔に応じて、求めることができるように、決定されたランダムアクセス設定パラメータをユーザ機器に送信する。
【００１３】
なお、一般的な実施形態または特定の実施形態は、システム、方法、集積回路、コンピュータプログラム、記憶媒体、またはこれらの任意の選択的な組合せとして、実施できることに留意されたい。
【００１４】
開示されている実施形態のさらなる恩恵および利点は、本明細書および図面から明らかであろう。これらの恩恵および／または利点は、本明細書および図面のさまざまな実施形態および特徴によって個別に得ることができ、ただしこのような恩恵および／または利点の１つまたは複数を得るために、これらの特徴すべてを設ける必要はない。
【００１５】
以下では、例示的な実施形態について、添付の図面を参照しながらさらに詳しく説明する。
【図面の簡単な説明】
【００１６】
【図１】３ＧＰＰ  ＮＲシステムの例示的なアーキテクチャを示している。
【図２】ＬＴＥ  ｅＮＢ、ｇＮＢ、およびＵＥの、例示的なユーザプレーンおよび制御プレーンのアーキテクチャを示している。
【図３】競合ベースのＲＡＣＨ手順を実行するときにｅＮＢとＵＥの間で交換されるメッセージを示している。
【図４】競合のないＲＡＣＨ手順を実行するときにｅＮＢとＵＥの間で交換されるメッセージを示している。
【図５】ＵＥおよびｅＮＢ／ｇＮＢの例示的な単純化した構造を示している。
【図６】第１の実施形態に係る、ＵＥの挙動のシーケンス図である。
【図７】第１の実施形態に係る、基地局の挙動のシーケンス図である。
【図８】第１の実施形態のバリエーションに係る、優先順位付けされたＲＡＣＨ手順におけるＵＥによるＲＡＣＨ試行を示している。
【図９】第１の実施形態のさらなるバリエーションに係る、優先順位付けされたＲＡＣＨ手順におけるＵＥによるＲＡＣＨ試行を示している。
【図１０】第１の実施形態のさらなるバリエーションに係る、優先順位付けされたＲＡＣＨ手順におけるＵＥによるＲＡＣＨ試行を示している。
【図１１】第１の実施形態に係る、ＵＥ／ハンドオーバ元（ソース）ｇＮＢとＵＥ／ハンドオーバ先（ターゲット）ｇＮＢの間のハンドオーバシナリオを示している。
【図１２】第１の実施形態のさらなるバリエーションに係る、２ステップＲＡＣＨ手順においてｇＮＢがＵＥにバックオフ値を提供するシナリオを示している。
【発明を実施するための形態】
【００１７】
［本開示の基礎］
［５Ｇ  ＮＲシステムのアーキテクチャおよびプロトコルスタック］
背景技術のセクションで説明したように、３ＧＰＰは、最大１００ＧＨｚの周波数範囲で動作する新しい無線アクセス技術（ＮＲ）の開発を含む、第５世代のセルラー技術（簡潔に５Ｇと呼ばれる）のための次のリリースに取り組んでいる。３ＧＰＰは、緊急な市場のニーズと、より長期的な要求事項の両方を適切な時期に満たしながら、ＮＲシステムを成功裏に標準化するために必要な技術要素を明らかにして開発しなければならない。これを達成する目的で、検討項目「New Radio Access Technology（新しい無線アクセス技術）」では、無線インタフェースおよび無線ネットワークアーキテクチャを進化させることが検討されている。結果および合意事項は、非特許文献２（その全体が参照により本明細書に組み込まれている）にまとめられている。
【００１８】
特に、全体的なシステムアーキテクチャに関して暫定的な合意がなされた。ＮＧ−ＲＡＮ（次世代−無線アクセスネットワーク）はｇＮＢから構成され、これらのｇＮＢは、ＵＥに向かうＮＧ−無線アクセスユーザプレーンプロトコル（ＳＤＡＰ／ＰＤＣＰ／ＲＬＣ／ＭＡＣ／ＰＨＹ）および制御プレーンプロトコル（ＲＲＣ）を終端させる。ｇＮＢは、Ｘｎインタフェースによって互いに相互接続されている。さらにｇＮＢは、次世代（ＮＧ：Next Generation）インタフェースによってＮＧＣ（次世代コア：Next Generation Core）に接続され、より具体的には、ＮＧ−ＣインタフェースによってＡＭＦ（アクセスおよびモビリティ管理機能：Access and Mobility Management Function）（例：ＡＭＦを実行する特定のコアエンティティ）に接続され、ＮＧ−ＵインタフェースによってＵＰＦ（ユーザプレーン機能：User Plane Function）（例：ＵＰＦを実行する特定のコアエンティティ）に接続される。ＮＧ−ＲＡＮのアーキテクチャは、非特許文献３の４節（参照により本明細書に組み込まれている）に基づいて図１に示してある。
【００１９】
例えば非特許文献４（その全体が参照により本明細書に組み込まれている）に反映されているように、さまざまな異なる配置シナリオが、サポートされるように現在検討されている。この文献には、例えば、非中央集中型の配置シナリオ（非特許文献４の５．２節）（中央集中型の配置は５．４節に記載されている）が提示されており、このシナリオでは５Ｇ  ＮＲをサポートする基地局を配置することができる。図２は、例示的な非中央集中型の配置シナリオを示しており、この非特許文献４の図５．２．−１に基づいているが、ＬＴＥ  ｅＮＢとユーザ機器（ＵＥ）をさらに示しており、ユーザ機器（ＵＥ）は、ｇＮＢおよびＬＴＥ  ｅＮＢの両方に接続されている。前述したようにＮＲ  ５Ｇの新しいｅＮＢは、例示的にｇＮＢと称することができる。
【００２０】
ｅＬＴＥ  ｅＮＢ（非特許文献４に例示的に定義されている）は、ｅＮＢの進化型であり、ＥＰＣ（進化型パケットコア（Evolved Packet Core））およびＮＧＣ（次世代コア（Next Generation Core））への接続性をサポートする。
【００２１】
ＮＲ（新無線）におけるユーザプレーンプロトコルスタックは、現在、非特許文献３の４．４．１節に定義されている。ＰＤＣＰ（パケットデータコンバージェンスプロトコル：Packet Data Convergence Protocol）サブレイヤ、ＲＬＣ（無線リンク制御：Radio Link Control）サブレイヤ、およびＭＡＣ（媒体アクセス制御：Medium Access Control）サブレイヤは、ネットワーク側ではｇＮＢにおいて終端する。これに加えて、非特許文献３の６．５節に記載されているように、ＰＤＣＰの上に、新しいアクセス層（ＡＳ）サブレイヤ（ＳＤＡＰ：サービスデータアダプテーションプロトコル：Service Data Adaptation Protocol）が導入される。ＮＲ（新無線）における制御プレーンプロトコルスタックは、非特許文献３の４．４．２節に定義されている。レイヤ２の機能の概要は、非特許文献３の６節に記載されている。ＰＤＣＰサブレイヤ、ＲＬＣサブレイヤ、およびＭＡＣサブレイヤの機能は、それぞれ非特許文献３の６．４節、６．３節、および６．２節にリストされている。ＲＲＣ層の機能は、非特許文献３の７節にリストされている。非特許文献３の上に挙げた節は、参照により本明細書に組み込まれている。
【００２２】
５Ｇシステム用に例示的に想定されているＮＲの新しいレイヤ（層）は、ＬＴＥ（−Ａ）通信システムにおいて現在使用されているユーザプレーンのレイヤ（層）構造に基づく。
【００２３】
非特許文献１に記載されているように、ＮＲのユースケース／配置シナリオとしては、拡張モバイルブロードバンド（ｅＭＢＢ）、超高信頼・低遅延通信（ＵＲＬＬＣ）、大規模マシンタイプ通信（ｍＭＴＣ）が挙げられ、これらのサービスは、データレート、レイテンシ、およびカバレッジに関する要件が多様である。例えばｅＭＢＢでは、ＩＭＴ−Ａｄｖａｎｃｅｄによって提供されるデータレートの３倍のオーダーのピークデータレート（ダウンリンクが２０Ｇｂｐｓ、アップリンクが１０Ｇｂｐｓ）およびユーザ側で認識されるデータレートがサポートされることが期待される。一方でＵＲＬＬＣの場合には、厳しい要件として、極めて低いレイテンシ（ユーザプレーンのレイテンシについてはアップリンクおよびダウンリンクそれぞれが０．５ｍｓ）および高い信頼性（１ｍｓ以内で１〜１０−５）が課せられる。さらにｍＭＴＣでは、高い接続密度（都市環境における１，０００，０００個のデバイス／ｋｍ２）、過酷な環境における広いカバレッジ、デバイスコストを下げるための極めて長寿命のバッテリ（１５年）が要求される。
【００２４】
したがって、あるユースケースに適したＯＦＤＭのヌメロロジー（numerology）（例えば、サブキャリア間隔、ＯＦＤＭシンボル持続時間、サイクリックプレフィックス（ＣＰ）持続時間、スケジューリング間隔あたりのシンボル数）が、別のユースケースではうまく機能しないことがある。例えば、低レイテンシのサービスでは、ｍＭＴＣサービスよりも短いシンボル持続時間（したがってより大きいサブキャリア間隔）、および／または、スケジューリング間隔（ＴＴＩとも称される）あたりの少ないシンボル、が要求されることがある。さらには、チャネルの遅延スプレッドが大きい配置シナリオでは、遅延スプレッドが短いシナリオよりも長いサイクリックプレフィックス（ＣＰ）持続時間が要求される。したがって、同程度のサイクリックプレフィックス（ＣＰ）オーバーヘッドを維持するため、サブキャリア間隔を最適化するべきである。３ＧＰＰ  ＲＡＮ１＃８４ｂｉｓ会合（２０１６年４月、釜山）において、ＮＲでは２つ以上のサブキャリア間隔の値がサポートされる必要があることが合意された。したがって現在のところ、１５ｋＨｚ、３０ｋＨｚ、６０ｋＨｚ、．．．のサブキャリア間隔が検討されている。シンボル持続時間Ｔｕおよびサブキャリア間隔Δｆは、式Δｆ＝１／Ｔｕによって直接関係している。ＬＴＥシステムの場合と同様に、１個のＯＦＤＭ／ＳＣ−ＦＤＭＡシンボルの長さに対して１つのサブキャリアから構成される最小リソース単位を表すのに、用語「リソースエレメント」を使用することができる。
【００２５】
新しい無線システム５Ｇ−ＮＲでは、各ヌメロロジーおよびキャリアごとに、アップリンクおよびダウンリンクそれぞれにおいて、サブキャリアとＯＦＤＭシンボルのリソースグリッドが定義される。リソースグリッド内の各要素は、リソースエレメントと呼ばれ、周波数領域における周波数インデックスと時間領域におけるシンボル位置とに基づいて識別される。非特許文献５（参照により本明細書に組み込まれている）から明らかであるように、いくつかの定義がすでになされている。
【００２６】
［ランダムアクセスチャネル（ＲＡＣＨ）手順および優先順位付けされるランダムアクセス手順］
５Ｇ  ＮＲにおけるＲＡＣＨ（ランダムアクセスチャネル：Random Access Channel）手順（または簡潔にランダムアクセス手順）に関しては、最終的な合意には達していない。非特許文献２の９．２節（参照により本明細書に組み込まれている）に記載されているように、ＮＲのＲＡＣＨ手順では、ＬＴＥにおいて定義されている方法と同じかまたは類似する方法で、競合ベースのランダムアクセスと、競合のないランダムアクセスの両方がサポートされうる。さらに、ＮＲのＲＡＣＨ手順の設計では、ＬＴＥと同様に、メッセージ３の柔軟なサイズがサポートされ、ただしサイズは極めて限定される可能性がある。
【００２７】
以下では、ＬＴＥのＲＡＣＨ手順について、図３および図４を参照しながらさらに詳しく説明する。ＬＴＥにおける移動端末のアップリンク送信は、移動端末のアップリンク送信が時間同期されている場合にのみスケジューリングすることができる。したがってランダムアクセスチャネル（ＲＡＣＨ）手順は、同期していない移動端末（ＵＥ）がアップリンク無線アクセスの直交送信を行う機会として重要な役割を果たす。例えば、ＬＴＥにおけるランダムアクセスは、アップリンクの同期をまだ獲得していない、またはアップリンクの同期を失ったユーザ機器において、アップリンクの時間同期を達成するために使用される。ユーザ機器がアップリンクの同期を達成すると、ｅＮｏｄｅＢはそのユーザ機器のためのアップリンク送信リソースをスケジューリングすることができる。ランダムアクセスに関連する１つのシナリオとして、自身の現在のサービングセルから新しいターゲットセルにハンドオーバする、RRC_CONNECTED状態にあるユーザ機器が、ターゲットセルにおけるアップリンクの時間同期を達成する目的で、ランダムアクセス手順を実行する。
【００２８】
ＬＴＥでは、２種類のランダムアクセス手順が提供されており、競合ベース（すなわち本質的に衝突のリスクを伴う）または競合なし（非競合ベース）のいずれかでアクセスが許可される。ＬＴＥのランダムアクセス手順の詳細な説明は、非特許文献６の５．１節（参照により本明細書に組み込まれている）にも記載されている。
【００２９】
以下では、ＬＴＥにおける競合ベースのランダムアクセス手順について、図３に関連してさらに詳しく説明する。この手順は４つの「ステップ」から構成される。最初に、ユーザ機器は、ランダムアクセスプリアンブル（すなわちＲＡＣＨ手順のメッセージ１）を物理ランダムアクセスチャネル（ＰＲＡＣＨ：Physical Random Access Channel）でｅＮｏｄｅＢに送信する。ｅＮｏｄｅＢは、ＲＡＣＨプリアンブルを検出した後、プリアンブルが検出された時間−周波数スロットを識別する（ランダムアクセス）ＲＡ−ＲＮＴＩによってＰＤＣＣＨ上でアドレッシングされたＰＤＳＣＨ（物理ダウンリンク共有チャネル：Physical Downlink Shared Channel）で、ランダムアクセス応答（ＲＡＲ：Random Access Response）メッセージ（ＲＡＣＨ手順のメッセージ２）を送信する。複数のユーザ機器が同じＰＲＡＣＨリソースにおいて同じＲＡＣＨプリアンブルを送信していた場合（衝突とも称する）、これらのユーザ機器は同じランダムアクセス応答メッセージを受信する。このＲＡＲメッセージは、検出されたＲＡＣＨプリアンブルと、以降のアップリンク送信を同期させるためのタイミングアライメントコマンド（ＴＡコマンド）と、スケジューリングされた最初の送信を送るための最初のアップリンクリソース割当て（グラント）と、Ｔ−ＣＲＮＴＩ（一時的なセル無線ネットワーク一時識別子：Temporary Cell Radio Network Temporary Identifier）の割当て、を伝えることができる。ｅＮｏｄｅＢは、ＲＡＣＨ手順が終了するまでは、ＲＡＣＨプリアンブルが検出された（１基または複数の）移動端末をアドレッシングする目的にこのＴ−ＣＲＮＴＩを使用し、なぜならｅＮｏｄｅＢはこの時点では移動端末の「真の」識別情報をまだ認識していないためである。
【００３０】
ユーザ機器は、ｅＮｏｄｅＢによって設定される所与の時間窓（例えばＲＡＲ時間窓と称される）の中で、ＰＤＣＣＨを監視してランダムアクセス応答メッセージを受信する。ユーザ機器は、ｅＮｏｄｅＢから受信したＲＡＲメッセージに応えて、スケジューリングされた最初のアップリンク送信を、そのランダムアクセス応答の中のグラントによって割り当てられた無線リソースで送信する。このスケジューリングされたアップリンク送信は、例えばＲＲＣ接続要求（RRC Connection Request）、ＲＲＣ再開要求（RRC Resume Request）、あるいはバッファ状態報告など実際のランダムアクセス手順メッセージを伝える。
【００３１】
ＲＡＣＨ手順の最初のメッセージにおいてプリアンブルの衝突が起きた（すなわち複数のユーザ機器が同じＰＲＡＣＨリソースで同じプリアンブルを送信した）場合、衝突しているユーザ機器は、ランダムアクセス応答の中で同じＴ−ＣＲＮＴＩを受信し、ＲＡＣＨ手順の第３のステップにおいてそれぞれのスケジューリングされた送信を送るときに、同じアップリンクリソースにおいて衝突する。１基のユーザ機器からのスケジューリングされた送信がｅＮｏｄｅＢによって正常に復号される場合、他の（１基または複数の）ユーザ機器においては競合が解決していないままである。このタイプの競合を解決するため、ｅＮｏｄｅＢは、そのＣ−ＲＮＴＩまたは一時的なＣ−ＲＮＴＩにアドレッシングされた競合解決メッセージ（第４のメッセージ）を送信する。これによりＲＡＣＨ手順が完了する。
【００３２】
図４は、３ＧＰＰ  ＬＴＥの競合のないランダムアクセス手順を示しており、競合ベースのランダムアクセス手順と比べて簡易化されている。最初のステップにおいて、ｅＮｏｄｅＢは、衝突の（例えば複数のユーザ機器が同じプリアンブルを送信する）危険がないように、ランダムアクセスに使用するためのプリアンブルをユーザ機器に提供する。したがって次いでユーザ機器は、ｅＮｏｄｅＢによってシグナリングされたプリアンブルを、ＰＲＡＣＨリソースでアップリンクにおいて送信する。競合のないランダムアクセスの場合、複数のＵＥが同じプリアンブルを送信するケースが回避されるため、競合のないランダムアクセス手順は、本質的に、ランダムアクセス応答がＵＥによって正常に受信された後に完了する。
【００３３】
したがって、図３および図４に関連して上に説明した手順に類似するかまたは同じＲＡＣＨ手順を、今後、５Ｇの新しい無線技術において採用することができる。５Ｇ  ＮＲにおけるランダムアクセス手順に関する現在の合意事項は、非特許文献７の５．１節「Random Access Procedure（ランダムアクセス手順）」（参照により本明細書に組み込まれている）に記載されている。
【００３４】
さらに３ＧＰＰは、５Ｇ  ＮＲ用に２ステップのＲＡＣＨ手順も検討しており、この手順では、最初に、メッセージ１（４ステップのＲＡＣＨ手順におけるメッセージ１およびメッセージ３に相当する）を送信する。次いでｇＮＢが、メッセージ２（ＬＴＥ  ＲＡＣＨ手順のメッセージ２およびメッセージ４に相当する）で応える。メッセージの交換が少ないため、この２ステップの手順のレイテンシは、４ステップの手順と比較して減少しうる。オプションとして、メッセージ用の無線リソースはネットワークによって設定される。
【００３５】
さらに３ＧＰＰでは、ＮＲ通信システムがランダムアクセスの優先順位付けをサポートするべきことがほぼ合意され、ただしこのサポートをどのように達成するかの細部については合意されていない。
【００３６】
対照的にＬＴＥシステムでは、ＵＥは基本的に、設定された同じパラメータのセット（例：共通のバックオフ値、共通のパワーランピングパラメータ、ＰＲＡＣＨ（物理ランダムアクセスチャネル）の無線リソース）を使用して同じランダムアクセス手順を実行する。したがってＵＥは、アクセス要求の目的（すなわちそのランダムアクセス手順をそもそも実行する理由）を何ら考慮することなく、ランダムアクセス手順を実行する。
【００３７】
これとは異なり、今後のＮＲシステムではより広範な一連のサービス要件をサポートする必要があること、さらにはシステムの堅牢性の向上が望まれることにより、異なるＵＥのランダムアクセス手順を優先順位付けすることが求められる。さらに詳細には、現在ＵＥによって扱われているさまざまなユーザサービスも、ランダムアクセスの優先順位付けによる恩恵を受けることができる。例えば、ＵＲＬＬＣサービスに関連してトリガーされるランダムアクセスは、ｅＭＢＢサービスに関連してトリガーされるランダムアクセス手順に必要とされるよりも小さい遅延の高速アクセスを有するならば有利である。
【００３８】
さらに、異なるタイプのランダムアクセスイベントでは、アクセスの遅延要件が異なり、したがって、特定のランダムアクセス（ＲＡ）イベントによってＵＥにおいてトリガーされるランダムアクセス要求は、別のランダムアクセス（ＲＡ）イベントによってＵＥにおいてトリガーされるランダムアクセス要求より高い優先順位を有するべきである。例えば、ＲＲＣ接続の再確立（RRC Connection Re-establishment）によってトリガーされるランダムアクセス（ＲＡ）イベントは、例えば最初のアクセスを試行しているＵＥによってトリガーされるランダムアクセス（ＲＡ）イベントより短い遅延で処理されるべきである。同様に、同期を再確立する目的でランダムアクセス手順の使用を試行するＲＲＣ＿ＣＯＮＮＥＣＴＥＤ状態のＵＥには、例えば最初にアクセスする目的でランダムアクセス手順の使用を試行するＲＲＣ＿ＩＤＬＥ状態のＵＥより高い優先順位を与えることができる。
【００３９】
現在、以下のランダムアクセスイベントが定義されている。
・  （イベント１）：  ＲＲＣ＿ＩＤＬＥ状態からの最初のアクセス
・  （イベント２）：  ＲＲＣ接続の再確立手順
・  （イベント３）：  ハンドオーバ
・  （イベント４）：  ランダムアクセス手順を必要とするＲＲＣ＿ＣＯＮＮＥＣＴＥＤ状態において（例：アップリンクの同期状態が「非同期」であるときに）ダウンリンクデータが到着する
・  （イベント５）：  ランダムアクセス手順を必要とするＲＲＣ＿ＣＯＮＮＥＣＴＥＤ状態において（例：アップリンクの同期状態が「非同期」である、またはスケジューリング要求（ＳＲ）用のＰＵＣＣＨリソースが利用可能ではないときに）アップリンクデータが到着する
・  （イベント６）：  ＲＲＣ＿ＩＮＡＣＴＩＶＥ状態からＲＲＣ＿ＣＯＮＮＥＣＴＥＤ状態への遷移
・  （イベント７）：  ビームリカバリ
【００４０】
ランダムアクセス手順をトリガーするイベント１〜イベント６は、ＬＴＥシステムからすでに公知であるのに対し、イベント７（ビームリカバリ）は、５Ｇ  ＮＲシステムにおいて新たに導入されるように現在検討されている。
【００４１】
最近に合意されたこととして、ＵＥは、イベント３およびイベント７において（すなわち競合ベースのアクセスを使用するハンドオーバと、競合ベースのビーム失敗リカバリにおいて）、優先順位付けされるＲＡＣＨ手順（設定されている場合）を適用する。優先順位付けするためのパラメータのセットは、パワーランピングのステップ幅およびバックオフパラメータを含むことができる。バックオフパラメータは、ＵＥが別のプリアンブルを送信する前に待機しなければならない時間を求めるために使用され、すなわち２つの連続するプリアンブル送信の間の遅延を制御することができる。例えば、別のＵＥとの衝突が起こる場合、ＵＥは次のプリアンブルを送信する前に特定の時間だけバックオフ（待機）しなければならない。バックオフパラメータを介した優先順位付けによって、例えば輻輳が緩和されるようにプリアンブル送信の遅延を適合させることができる。
【００４２】
プリアンブルの送信ではパワーランピング機能が使用され、ＵＥがプリアンブルの送信に使用する送信電力は、この機能に従って、プリアンブル送信の試行が失敗するたびに連続的に増大する。この点において、初期プリアンブル電力パラメータおよびパワーランピングステップパラメータが用意されており、パワーランピングステップパラメータは、各パワーランピングにおける電力の増大を定義する。パワーランピングパラメータを介した優先順位付けによって、主としてランダムアクセス手順のプリアンブル送信におけるアップリンクの干渉を克服することができ、したがってプリアンブル送信が成功する可能性が高まり、これによりランダムアクセス手順の全体的な時間遅延が減少しうる。
【００４３】
優先順位付けされたランダムアクセス手順のパラメータのシグナリングに関しては、現在２つのオプションが検討されている。１つのオプションとして、ＬＴＥシステムから公知であるようにシステム情報を使用することが検討されている。しかしながらシステム情報はブロードキャストされるため、オーバーヘッドが増大するという問題があり、なぜならネットワークは、優先順位付けされたランダムアクセス手順の設定パラメータ（パワーランピングステップ値およびバックオフ値など）を各ＵＥに通知する必要があるためである。さらなるオプションとして、優先順位付けされたランダムアクセス手順の設定パラメータを、専用ＲＲＣシグナリングを使用してＵＥに通知することが検討されている。しかしながらこのオプションでは、著しい輻輳や他のＵＥとの干渉が生じないように、優先順位付けされたランダムアクセス手順の間、無線リソースの使用を制御する必要がある。
【００４４】
さらに、優先順位付けされるランダムアクセス手順の持続時間をどのように扱うかと、優先順位付けされるランダムアクセス手順におけるパワーランピングパラメータおよびバックオフパラメータの設定をどのように扱うかという問題もある。
【００４５】
したがって、優先順位付けされるランダムアクセス手順の扱いと、パワーランピングパラメータおよびバックオフパラメータの設定と、優先順位付けされるランダムアクセス手順におけるリソースの効率的な使用を、改善するニーズが存在する。
【００４６】
［本開示の詳細な説明］
以下では、５Ｇ移動通信システムを対象に検討されている新しい無線アクセス技術において、上記のニーズを満たすためのＵＥ、基地局、および手順について説明する。さまざまな実装形態およびバリエーションも説明する。以下の詳細な開示内容は、前のセクション「本開示の基礎」の中で説明した検討事項およびその結果によって促進されたものであり、例えば少なくともその一部に基づく。
【００４７】
しかしながら全般的には、５Ｇセルラー通信システムに関して実際にはいくつかの点が合意されているにすぎず、したがって以下では、本開示の基礎をなす原理を明確かつわかりやすく説明することができるように、多くの想定を行わなければならないことに留意されたい。しかしながら、これらの想定は、本開示の範囲を制限することのない単なる例として理解されたい。当業者には、以下の開示の、請求項に記載されている原理を、さまざまなシナリオに、本明細書に明示的に説明されていない方法で適用できることが認識されるであろう。
【００４８】
さらに、次の３ＧＰＰ  ５Ｇ通信システムのための新しい無線アクセス技術に関連して使用される特定の専門用語は、まだ完全には決定されていないが、以下で使用されている、手順、エンティティ、レイヤ（層）などの用語のいくつかは、ＬＴＥ／ＬＴＥ−Ａシステムに、または３ＧＰＰ  ５Ｇの現在の検討項目において使用されている専門用語に、密接に関係している。したがって用語は、３ＧＰＰの標準化段階において変更されうるが、本発明の実施形態の機能・動作には影響しない。したがって、本発明およびその保護範囲は、より新しい専門用語または最終的に合意された専門用語が存在しない理由で本明細書において例示的に使用されている特定の用語に制限されるべきではなく、本開示の機能・動作および原理の基礎をなす機能およびコンセプトに関して広義に理解されるべきであることが、当業者には認識されるであろう。
【００４９】
例えば、「移動局（mobile station）」、「移動ノード（mobile node）」、「ユーザ端末（user terminal）」、または「ユーザ機器（ＵＥ）」は、通信ネットワーク内の物理エンティティ（物理ノード）である。１つのノードがいくつかの機能エンティティを有することができる。機能エンティティとは、所定の一連の機能を実施する、および／または、所定の一連の機能を同じノードもしくは別のノードまたはネットワークの別の機能エンティティに提供する、ソフトウェアモジュールまたはハードウェアモジュールを意味する。ノードは、自身を通信機器または通信媒体にアタッチする１つまたは複数のインタフェースを有することができ、ノードはこれらのインタフェースを通じて通信することができる。同様に、ネットワークエンティティは、機能エンティティを通信機器または通信媒体にアタッチする論理インタフェースを有することができ、ネットワークエンティティは論理インタフェースを通じて別の機能エンティティまたは通信相手ノードと通信することができる。
【００５０】
用語「基地局」または「無線基地局」は、本明細書においては、通信ネットワーク内の物理エンティティを意味する。基地局は、移動局と同様に、いくつかの機能エンティティを有することができる。機能エンティティとは、所定の一連の機能を実施する、および／または、所定の一連の機能を同じノードもしくは別のノードまたはネットワークの別の機能エンティティに提供する、ソフトウェアモジュールまたはハードウェアモジュールを意味する。物理エンティティは、通信装置に関連するいくつかの制御タスク（スケジューリングおよび設定の１つまたは複数を含む）を実行する。なお、基地局の機能および通信装置の機能を、１つの装置内に統合してもよいことに留意されたい。例えば、移動端末が、他の端末に対して基地局の機能をさらに実施してもよい。ＬＴＥにおいて使用されている専門用語はｅＮＢ（またはｅＮｏｄｅＢ）であるが、５Ｇ  ＮＲにおいて現時点で使用されている専門用語はｇＮＢである。
【００５１】
用語「プライマリ時間間隔」は、優先順位付けされたランダムアクセス手順をＵＥが繰り返し実行する継続時間を制限する目的で、限られた時間間隔を意味する。特定のプライマリ時間間隔の間に、優先順位付けされたランダムアクセス手順のいずれも成功しなかった場合でも、さらなるランダムアクセス試行は行われない。逆にＵＥが、特定のプライマリ時間間隔内に、優先順位付けされたランダムアクセス手順を正常に完了した場合には、その特定のプライマリ時間間隔の残りの時間内にさらなるランダムアクセス試行は必要ない。
【００５２】
用語「セカンダリ時間間隔」は、プライマリ時間間隔に含まれる複数の時間間隔の１つを意味する。言い換えれば、プライマリ時間間隔は、セカンダリ時間間隔のサブセットを含む。後から実施形態において詳しく説明するように、セカンダリ時間間隔ごとに、特定のランダムアクセスパラメータが有効である。したがって、１つのセカンダリ時間間隔から次のセカンダリ時間間隔への移行を、例示的に「チェックポイント」（それ以降は新しいランダムアクセスパラメータが有効である）と考えることもできる。
【００５３】
図５は、ユーザ機器（通信装置とも称される）およびスケジューリング装置（本明細書では例示的に基地局、例えばｅＬＴＥ  ｅＮＢ（またはｎｇ−ｅＮＢとも称される）もしくは５Ｇ  ＮＲにおけるｇＮＢ内に位置するものと想定する）の一般的な単純化した例示的なブロック図を示している。ＵＥとｅＮＢ／ｇＮＢは、それぞれ送受信機を使用して（無線）物理チャネルを通じて互いに通信する。
【００５４】
通信装置は、送受信機および処理回路を備えていることができる。送受信機は、受信機および送信機を備えていることができる。処理回路は、１つまたは複数のプロセッサまたは任意のＬＳＩなど、１つまたは複数のハードウェアとすることができる。送受信機と処理回路との間には入力／出力部（またはノード）が存在しており、処理回路は、動作時にこの入力／出力部を通じて送受信機を制御し（すなわち受信機および／または送信機を制御し）、受信／送信データを交換することができる。送受信機は、１本または複数のアンテナ、増幅器、ＲＦ変調器／復調器などを含むＲＦ（無線周波数）フロントエンドを含むことができる。処理回路は、自身が提供するユーザデータおよび制御データを送信する、および／または、処理回路によってさらに処理されるユーザデータおよび制御データを受信するように、送受信機を制御するなど、制御タスクを実施することができる。さらに処理回路は、判定する、決定する、計算する、測定するなどのプロセスを実行する責務も担うことができる。送信機は、送信するプロセス、および送信に関連する他のプロセスを実行する責務を担うことができる。受信機は、受信するプロセス、および受信に関連する他のプロセスを実行する責務を担うことができる。
【００５５】
したがってこの場合、さまざまな実施形態およびそれらのバリエーションの後からの説明から明らかになるように、例示的に、ＵＥがとり得る異なる状態の間での遷移（例：ＲＲＣ＿ＩＮＡＣＴＩＶＥからＲＲＣ＿ＣＯＮＮＥＣＴＥＤまたはこの逆の遷移、ＲＲＣ＿ＩＤＬＥからの遷移、またはＲＲＣ＿ＩＤＬＥへの遷移）を制御するように、プロセッサを構成することができる。別の例として、プロセッサは、ランダムアクセス手順を実行するかどうか、およびどのように実行するか（使用するランダムアクセスパラメータの決定を含む）を決める。
【００５６】
送信機は、ＲＡＣＨ手順のメッセージを送信できるように構成することができる。逆に、受信機は、ＲＡＣＨ手順のメッセージ、基地局からのページングメッセージ、さらには基地局によってブロードキャストされるシステム情報を受信できるように構成することができる。
【００５７】
［実施形態１］
以下では、第１の実施形態の多数のバリエーションに係る、改善された優先順位付けされるランダムアクセス手順について説明する。
【００５８】
この点においてランダムアクセス手順の優先順位付けとは、例えばＵＥによって、またはランダムアクセスをトリガーするランダムアクセスイベントによって求められる優先性が良好に反映されるように（したがって特定の要件を満たすことが容易になるように）、例えばランダムアクセス手順においてＵＥが使用するバックオフ値および／または送信電力値を適合させ得ることと理解されたい。バックオフパラメータ（以下ではバックオフ値とも称する）とは、前の（おそらくは成功しなかった）ランダムアクセス手順から、（プリアンブルを含む最初のランダムアクセスメッセージの送信によって）新たなランダムアクセス手順を開始するまでの間の、ＵＥが待機しなければならない期間を求めるために使用されるパラメータである。バックオフパラメータは、例えばｇＮＢによってＵＥに提供され、例えばｇＮＢにおいて衝突（すなわちいくつかのＵＥが同じプリアンブルを同じＰＲＡＣＨリソースを使用してｇＮＢに送信した）が検出される場合に使用することができる。バックオフパラメータは、ＬＴＥでは、例えば非特許文献８の対応する５．１．４節および７．２節（参照により本明細書に組み込まれている）において、すでに公知である。送信電力値は、ランダムアクセス手順の最初のランダムアクセスメッセージをどのくらいの電力を使用してｇＮＢに送信できるかをＵＥが決定するときの基礎となる値を示し、したがってスケジューリングされた送信自体の堅牢性に影響し、さらには、いくつかのＵＥの間でＲＡＣＨ手順が衝突する場合に手順が成功する可能性にも影響する。
【００５９】
したがって、ランダムアクセス手順の優先順位付けは、同じランダムアクセスリソースを使用する複数の異なるＵＥの間で衝突が起こる場合に、特に有用である。ｇＮＢは、複数の異なるＵＥによって実行されたランダムアクセス手順の間の衝突を認識する場合、適切なバックオフパラメータを選択してそれらのＵＥに割り当てることによって、それら複数の異なるＵＥによるランダムアクセス手順のさらなる実行に対して、優先順位を付けることができる。
【００６０】
本実施形態によれば、ＵＥは、ランダムアクセス手順のこの優先順位付けに関与し、この場合、特定の優先順位付け基準（例：ランダムアクセスを優先順位付けるときの基礎となる状況）と特定のＰＲＡＣＨリソース（ランダムアクセス設定パラメータとも称する）とを関連付けるランダムアクセス設定情報が、ＵＥ側とｇＮＢ側の両方で利用可能であるものと想定する。
【００６１】
ランダムアクセス設定パラメータは、例えば以下の１つまたは複数を含むことができる。
・  ランダムアクセスメッセージによって送信されるランダムアクセスプリアンブルシーケンス
・  ランダムアクセスプリアンブルメッセージをｇＮＢに送信するときにＵＥが使用する無線チャネルリソースの時間および周波数
・  ランダムアクセス試行時に最初のランダムアクセスプリアンブルメッセージをｇＮＢに送信するときにＵＥが使用する初期送信電力値
・  １つまたは複数のパワーランピングステップサイズ値。各値は、セカンダリ時間間隔内で実行される優先順位付けされた次のランダムアクセス手順に使用される新しい送信電力を求めるための、前に使用された送信電力値からの電力の増分を示す。
・  ２つの連続する優先順位付けされたランダムアクセス手順の間の待機時間を示すシングルバックオフ値（すべてのセカンダリ時間間隔に適用可能である）
・  複数のバックオフ値。各値は、それぞれのセカンダリ時間間隔内の２つの連続する優先順位付けされたランダムアクセス手順の間のそれぞれの待機時間を示す。
【００６２】
図６は、本明細書に説明されているこの実施形態およびそのバリエーションの改善された優先順位付けされるランダムアクセス手順に関与するＵＥの挙動の、単純化した例示的な説明を、シーケンス図の形で提示している。単に説明を容易にする目的で、ランダムアクセス手順の優先順位付けは、ランダムアクセスイベントのみに基づくものと例示的に想定する。
【００６３】
図６に示したように、ＵＥは、ステップＳ１０１から開始する。ＵＥはステップＳ１０２に進み、基地局からランダムアクセス設定パラメータを受信する。ＵＥはステップＳ１０３に進み、次のステップにおいて考慮する関連するセカンダリ時間間隔を決定する。具体的には、ＵＥは、自身がＲＡＣＨ手順を実行する予定のセカンダリ時間間隔を決定する。ステップＳ１０４においては、ＵＥは、決定したセカンダリ時間間隔と、受信したランダムアクセス設定パラメータとに基づいて、ランダムアクセスパラメータを求める。次にＵＥは、ステップＳ１０５において、求めたランダムアクセスパラメータを使用して、基地局との優先順位付けされたランダムアクセス手順を実行する。次にＵＥは、ステップＳ１０６において、優先順位付けされたランダムアクセス手順が成功したかを判定する。
【００６４】
優先順位付けされたランダムアクセス手順が成功したと判定された場合、本プロセスはステップＳ１０８で終了する。優先順位付けされたランダムアクセス手順が成功しなかったと判定される場合、ＵＥはステップＳ１０７において、プライマリ時間間隔がすでに経過したか、または優先順位付けされたランダムアクセス手順の最大回数に達したかを判定する。プライマリ時間間隔が経過した場合、または優先順位付けされたランダムアクセス手順の最大回数に達した場合、本プロセスはステップＳ１０８で終了する。しかしながらプライマリ時間間隔が経過していない場合、ＵＥはステップＳ１０３を再び実行して、現在のセカンダリ時間間隔を求める。ステップＳ１０４およびステップＳ１０５を再び実行した後、ステップＳ１０６において、優先順位付けされたランダムアクセス手順が正常に完了したかを再びチェックする。この実施形態によれば、プライマリ時間間隔は複数のセカンダリ時間間隔を含む。
【００６５】
この実施形態の一例によれば、ＵＥは、競合ベースのランダムアクセスを使用するハンドオーバ時に、または競合ベースのビーム失敗リカバリ時に、優先順位付けされたランダムアクセス手順を繰り返し実行する。この実施形態のさらなる例によれば、ＵＥは、ＲＡＣＨ手順が正常に完了することなくプライマリ時間間隔が経過した場合、ビーム失敗リカバリの失敗またはハンドオーバの失敗を基地局に通知する。
【００６６】
プライマリ時間間隔を導入する、または最大ＲＡＣＨ試行カウンタを導入する利点として、優先順位付けされたランダムアクセス手順をＵＥが実行することのできる持続時間が制限され、これによりＲＡＣＨの輻輳が緩和される。プライマリ時間間隔の開始、およびプライマリ時間間隔が経過したかを判定する目的で、ＵＥは例えばプライマリタイマーを備えることができ、このタイマーは、例えばランダムアクセス設定パラメータによって示されるプライマリ時間間隔の値に設定される。これに代えて、ＵＥはプライマリカウンタを備えることができ、この場合、プライマリカウンタがプライマリ時間間隔のプリセット値を超えれば、プライマリ時間間隔が経過したと判定される。さらなる例によれば、プライマリ時間間隔の長さは、基地局から受信されるランダムアクセス設定パラメータに含まれる。これに代えて、さらなる例によれば、プライマリ時間間隔の長さはＵＥによって定義することができる。
【００６７】
優先順位付けされたランダムアクセス手順を実行するための、プライマリ時間間隔内に含まれる複数のセカンダリ時間間隔を導入する利点として、連続するセカンダリ時間間隔それぞれにおいて、ランダムアクセスパラメータを柔軟に変更／調整することができる。各セカンダリ時間間隔に対して異なるランダムアクセスパラメータを設定することによって、例えば、他のＵＥとの望ましくない干渉を防止するためにＲＡＣＨ試行において使用されるランダムアクセスパラメータである電力値を、より効果的に扱うことが可能である。それぞれのセカンダリ時間間隔の開始、およびそれぞれのセカンダリ時間間隔が経過したかを判定する目的で、ＵＥは、例えば、それぞれのセカンダリ時間間隔のプリセット値によって設定される固定のセカンダリタイマーを有する何らかの装置を備えることができる。これに代えて、ＵＥはセカンダリカウンタを備えることができ、この場合、セカンダリカウンタがそれぞれのセカンダリ時間間隔のプリセット値を超えれば、それぞれのセカンダリ時間間隔が経過したと判定される。さらなる例によれば、それぞれのセカンダリ時間間隔の長さは、基地局から受信されるランダムアクセス設定パラメータに含まれる。これに代えて、さらなる例によれば、それぞれのセカンダリ時間間隔の長さを定義しておき、ＵＥに既知としてもよい。
【００６８】
この実施形態のさらなるバリエーションによれば、ＵＥは、プライマリ時間間隔内ですでに行われたＲＡＣＨ試行の回数を数えるＲＡＣＨ試行カウンタを備えていることができる。
【００６９】
この実施形態の一例によれば、受信されるランダムアクセス設定パラメータは、パワーランピングの初期設定およびバックオフパラメータを含む。さらなるバリエーションにおいては、ランダムアクセス設定パラメータは、初期電力値と、前のＲＡＣＨ試行の送信電力を基準とする使用される電力の増分を示すパワーランピングステップサイズ値と、バックオフパラメータとを含む。さらなるバリエーションにおいては、ランダムアクセス設定パラメータは、前のＲＡＣＨ試行の送信電力を基準とする使用される電力の増分を示すシングル電力値のみを含む。さらなるバリエーションにおいては、ランダムアクセス設定パラメータは、複数のＲＡＣＨ試行のそれぞれにおいて使用される送信電力を示す複数のパワーランピングサイズ値のみを含む。さらなるバリエーションにおいては、ランダムアクセス設定パラメータに含まれるパワーランピングステップサイズ値は、セカンダリ時間間隔が経過するたびに増大することができる、またはセカンダリ時間間隔が経過するたびに減少することができる、またはＲＡＣＨ試行の送信に使用される電力を一定に維持するように示すことができる。この実施形態のさらなるバリエーションにおいては、ランダムアクセス設定パラメータは、ＵＥによって考慮されるＲＡＣＨ試行の最大回数をさらに含む。
【００７０】
この実施形態のさらなるバリエーションによれば、プライマリタイマーが切れる、またはＲＡＣＨ試行カウンタがＲＡＣＨ試行の最大回数に達した時点で、ランダムアクセス設定パラメータはもはや有効ではなく、ＵＥは、さらなるＲＡＣＨ試行を実行しない。この場合にＵＥは、ビーム失敗リカバリに失敗したことを上位層に通知する。
【００７１】
バックオフパラメータに関しては（ランダムアクセス設定パラメータに含まれている場合）、バックオフパラメータは、例示的に、２回のＲＡＣＨ試行の間の一定の待機時間を示すシングルバックオフ値とすることができ、すなわちプライマリ時間間隔全体のすべてのセカンダリ時間間隔を通じて、同じバックオフ値が考慮される。これに代えてバックオフパラメータは、例示的に、異なるセカンダリ時間間隔における２回のＲＡＣＨ試行の間の待機時間をそれぞれが示す複数のバックオフ値を含むことができる。一例によれば、複数のバックオフ値は、セカンダリ時間間隔が経過するたびに変化する。さらなる例によれば、複数のバックオフ値は、セカンダリ時間間隔が経過するたびに連続的に減少する。さらなる例によれば、複数のバックオフ値は、セカンダリ時間間隔が経過するたびに連続的に増大する。さらなる例によれば、複数のバックオフ値は、複数のセカンダリ時間間隔全体を通じて使用される、増大する値、減少する値、および一定の値、の所定の組合せ、である。
【００７２】
この実施形態のさらなる例によれば、ＵＥは、チャネル状態情報（ＣＳＩ）報告および／または測定報告を定期的に基地局に送る。
【００７３】
ＣＳＩ（チャネル状態情報）報告および測定報告は、一般的には、ＵＥによって生成され、ＵＥのチャネル（現在のサービングｇＮＢおよび／または隣接するｇＮＢとのダウンリンクチャネルなど）の品質に関する情報を含む。
【００７４】
ＬＴＥには、ＵＥによって実行することのできるいくつかのタイプチャネル測定が存在し、以下の説明ではそのうちの２つのタイプを提示する。例えば、以下のタイプの１つまたは複数を含む測定報告を提供するようにＵＥを設定することができる。
・  同一周波数測定：  （１つまたは複数の）サービングセルの（１つまたは複数の）ダウンリンクキャリア周波数における測定
・  異周波数測定：  （１つまたは複数の）サービングセルの（１つまたは複数の）ダウンリンクキャリア周波数のいずれとも異なる周波数における測定
・  ＮＲ周波数の無線アクセス技術（ＲＡＴ）間測定
・  ＵＴＲＡ周波数の無線アクセス技術（ＲＡＴ）間測定
・  ＧＥＲＡＮ周波数の無線アクセス技術（ＲＡＴ）間測定
・  ＣＤＭＡ２０００  ＨＲＰＤ周波数もしくはＣＤＭＡ２０００  １ｘＲＴＴ周波数、またはＷＬＡＮ周波数の無線アクセス技術（ＲＡＴ）間測定
・  ＣＢＲ測定
【００７５】
ＵＥは、Ｅ−ＵＴＲＡＮによって提供される測定設定に従って測定情報を報告する。Ｅ−ＵＴＲＡＮでは、ＲＲＣ＿ＣＯＮＮＥＣＴＥＤ状態のＵＥに適用される測定設定が、専用シグナリングによって（すなわちＲＲＣＣｏｎｎｅｃｔｉｏｎＲｅｃｏｎｆｉｇｕｒａｔｉｏｎメッセージまたはＲＲＣＣｏｎｎｅｃｔｉｏｎＲｅｓｕｍｅメッセージを使用して）提供される。測定報告は、定期的にトリガーする、または単一イベントに基づいてトリガーすることができる。この点に関するさらに詳しい情報は、非特許文献９の５．５節（参照により本明細書に組み込まれている）に記載されている。５Ｇ  ＮＲでは、対応する測定はまだ定義されていないが、今後定義されるものと予測される。したがって現時点では、ＬＴＥにおいて利用可能な測定報告に類似するかまたは同じ測定報告を、本実施形態に関連して使用できるものと例示的に想定する。
【００７６】
一方で、チャネル状態情報を報告するためのＵＥ側の手順に関しては、すでに合意事項が存在する。例えば非特許文献１０の５．２節（参照により本明細書に組み込まれている）には、ＣＳＩ報告は、チャネル品質インジケータ（ＣＱＩ：Channel Quality Indicator）、プリコーディングマトリクスインジケータ（ＰＭＩ：precoding matrix indicator）、ＣＳＩ−ＲＳリソースインジケータ（ＣＲＩ：ＣＳＩ−ＲＳ  ｒｅｓｏｕｒｃｅ  ｉｎｄｉｃａｔｏｒ）、最強層指示（ＳＬＩ：strongest layer indication）、ランク指示（ＲＩ：rank indication）、および／またはＬ１−ＲＳＲＰから構成してよいことが定義されている。ＣＳＩを報告するためにＵＥによって使用することのできる時間リソースおよび周波数リソースは、ｇＮＢによって制御される。
【００７７】
図７は、本明細書に説明されているこの実施形態およびそのバリエーションの改善された優先順位付けされるランダムアクセス手順に関与する基地局の挙動の、単純化した例示的な説明を、シーケンス図の形で提示している。
【００７８】
図７に示したように、基地局は、ステップＳ２０１から開始する。ステップＳ２０２においては、基地局は、ＣＳＩ報告または測定報告をＵＥから受信する。これに代えて基地局は、ＣＳＩ報告および測定報告の両方をＵＥから受信してもよい。続くステップＳ２０３において、基地局は、ＣＳＩ報告／測定報告に基づいてランダムアクセス設定パラメータを決定する。次いで基地局はステップＳ２０４に進み、ＵＥが基地局との優先順位付けされたランダムアクセス手順を実行することができるように、決定したランダムアクセス設定パラメータをＵＥに送信する。その後、本プロセスはステップＳ２０５において終了する。
【００７９】
この実施形態の一例によれば、決定されるランダムアクセス設定パラメータは、パワーランピングの初期設定およびバックオフパラメータを含む。さらなるバリエーションにおいては、ランダムアクセス設定パラメータは、初期電力値と、前のＲＡＣＨ試行の送信電力を基準とする使用される電力の増分をＵＥに示すパワーランピングステップサイズ値と、バックオフパラメータとを含む。バックオフパラメータに関しては、このパラメータは例示的に、２回のＲＡＣＨ試行の間の一定の待機時間を示すシングルバックオフ値とすることができる。これに代えてバックオフパラメータは、例示的に、異なるセカンダリ時間間隔における２回のＲＡＣＨ試行の間の待機時間をそれぞれが示す複数のバックオフ値とすることができる。
【００８０】
この実施形態のさらなる例によれば、基地局によって決定されるランダムアクセス設定パラメータは、ＵＥによって考慮されるプライマリ時間間隔の値をさらに含む。これに加えてランダムアクセス設定パラメータは、各セカンダリ時間間隔に対して考慮される時間間隔の長さを示す１つの値を含むことができる。したがってセカンダリ時間間隔は、同じ時間長を有する。
【００８１】
これに代えて、ランダムアクセス設定パラメータは、複数の値をさらに含むことができ、各値は、１つのセカンダリ時間間隔のそれぞれの長さを示す。したがってセカンダリ時間間隔の長さは、複数のセカンダリ時間間隔全体の中で変化することができる。
【００８２】
セカンダリ時間間隔の数に関しては、この実施形態の別の例示的な実装形態によれば、この数は基地局によって設定可能であり、ランダムアクセス設定パラメータの中で示すことができる。したがってセカンダリ時間間隔の最大数は、例えば利用可能なパワーランピングステップサイズ値の数に一致させることができ、ただしこれに限定されない。例えば、基地局が５つの異なるパワーランピングステップサイズ値を設定する場合、パワーランピングステップサイズとセカンダリ時間間隔とが１対１に対応するように、ＵＥに送信されるランダムアクセス設定パラメータも、プライマリ時間間隔内の５つのセカンダリ時間間隔を指定する。この例のバリエーションにおいては、ＵＥに送信されるランダムアクセス設定パラメータは、プライマリ時間間隔内の１つのみ、２つのみ、３つのみ、または４つのみのセカンダリ時間間隔を指定してもよい。
【００８３】
この実施形態の例示的な一実装形態においては、基地局は、ランダムアクセス設定パラメータを、ＲＲＣ層もしくはＭＡＣ層を使用する専用シグナリング、またはＤＣＩを介してＵＥに送信する。
【００８４】
この実施形態のさらなる例示的な実装形態によれば、例えばランダムアクセス設定パラメータに含まれる時間長を有する新しいセカンダリ時間間隔を開始するためのセカンダリタイマー／セカンダリカウンタのトリガーとして、ＲＡＣＨ試行を使用するように、基地局はランダムアクセス設定パラメータを介してＵＥに指示することができる。さらなるバリエーションにおいては、セカンダリタイマー／セカンダリカウンタを起動するのに所定のＲＡＣＨ試行を使用するように、基地局はランダムアクセス設定パラメータを介してＵＥに指示することができる。例えば基地局は、３回のＲＡＣＨ試行が終わるたびにセカンダリ時間間隔を開始するようにＵＥに指示することができる。別の例によれば、基地局は、新しいセカンダリ時間間隔を開始するのに３回目、８回目、および１０回目のＲＡＣＨ試行を使用するように、ランダムアクセス設定パラメータを介してＵＥに指示することができる。
【００８５】
セカンダリ時間間隔の長さと、さらにプライマリ時間間隔内のセカンダリ時間間隔の数を適合させることによって、チャネルの状況に対して適切に対応することができ、これは有利である。例えば優先順位付けされたランダムアクセス手順の最初のうちは、セカンダリ時間間隔の長さを短くするとともに、パワーランピングステップサイズ値を小さくすることによって、ＵＥがＲＡＣＨ手順を成功させるための時間がまだ十分にある優先順位付けされたＲＡＣＨ手順の最初には、電力値を細かく増大させることができ、これは有利である。ＲＡＣＨ手順のプライマリ時間間隔の経過時間が増していくにつれて、ＵＥがＲＡＣＨ手順を正常に完了するための残り時間が少ないときには送信電力を大きな幅で増大させることができるように、パワーランピングステップサイズ値が大きくなる。
【００８６】
この実施形態のさらなる例によれば、基地局は、競合ベースのビーム失敗リカバリの場合、ＵＥによって基地局に定期的に送られるＣＳＩ報告および／または測定報告を受信する。基地局は、受信したＣＳＩ報告／測定報告と、前のＣＳＩ報告／測定報告との比較に基づいて、新しい／更新されたランダムアクセス設定パラメータが必要でありＵＥに提供する必要があるかについて判定する。新しい／更新されたランダムアクセス設定パラメータが必要であると判定した場合、基地局は、このパラメータを決定してＵＥに送信する。例示的な一実装形態によれば、チャネルの品質が低い場合、基地局は大きいパワーランピングステップサイズを設定することができる。そうではなくチャネルの品質が高い場合、基地局は小さいパワーランピングステップサイズを設定することができる。
【００８７】
図８は、第１の実施形態の一例に係る、優先順位付けされたＲＡＣＨ手順におけるＵＥによるＲＡＣＨ試行を示している。優先順位付けされたＲＡＣＨ試行は、図に示したようにプライマリ時間間隔内に実行される。図８には、何回かのＲＡＣＨ試行Ａ１〜Ａ９を、垂直矢印として示してある。この例によれば、ただ１つのシングルバックオフ値Ｔ０が、ｇＮＢによってランダムアクセス設定パラメータの中でＵＥにシグナリングされる。したがってバックオフ時間（期間Ｔ０として示してある）は、プライマリ時間間隔全体を通じて一定に維持される。したがって、ＲＡＣＨ試行が行われるセカンダリ時間間隔にかかわらず、すべてのＲＡＣＨ試行が、間の待機期間が同じであるタイミングで行われる。
【００８８】
より具体的には、プライマリ時間間隔は、最初のＲＡＣＨ試行Ａ１が初期送信電力Ｐ０で行われる時点Ｔｓｔａｒｔから始まる。この例示的な図におけるＰ０は、例えばｇＮＢによってランダムアクセス設定パラメータの中で指示される初期電力値である。ＲＡＣＨ試行が成功しない（すなわちＲＡＣＨ手順が完了しない）場合、ＵＥは、バックオフ時間Ｔ０が経過した時点で２回目のＲＡＣＨ試行Ａ２に移行する。２回目のＲＡＣＨ試行Ａ２に使用される送信電力は、初期電力値に、パワーランピングステップサイズ値Ｓ０を加えた値（すなわちＰ０＋Ｓ０）である。依然としてＲＡＣＨ手順を完了できなかった場合、次にＵＥはさらなるバックオフ時間Ｔ０が経過した後に３回目のＲＡＣＨ試行Ａ３に移行する。３回目のＲＡＣＨ試行Ａ３に使用される送信電力は、２回目のＲＡＣＨ試行Ａ２と同じように、試行Ａ２に使用された送信電力とパワーランピングステップサイズ値Ｓ０の合計に等しい。この点に関して、パワーランピングステップサイズ値Ｓ０は、上位の「プライマリ時間間隔」内の複数のセカンダリ時間間隔のうち最初のセカンダリ時間間隔のみに使用される。
【００８９】
図８から理解できるように、最初のセカンダリ時間間隔は、３回目のＲＡＣＨ試行Ａ３に続く期間Ｔ０が経過する前に終了する。最初のセカンダリ時間間隔が経過した時点でＵＥは、ｇＮＢによってランダムアクセス設定パラメータの中でシグナリングされた新しいパワーランピングステップサイズ値Ｓ１を考慮する。結果としてＵＥは、３回目のＲＡＣＨ試行Ａ３に続くバックオフ時間Ｔ０が経過すると、４回目のＲＡＣＨ試行Ａ４を、ＲＡＣＨ試行Ａ３に使用した送信電力に新しいパワーランピングステップサイズ値Ｓ１を加えた送信電力で実行する。第２のセカンダリ時間間隔全体を通じて、すべてのさらなるＲＡＣＨ試行（この例示的な図によればＡ５およびＡ６）は、それぞれの前回のＲＡＣＨ試行の送信電力にパワーランピングステップサイズ値Ｓ１を加えた電力で、送信される。
【００９０】
図８の図解の第３のセカンダリ時間間隔に移行すると、ＲＡＣＨ試行Ａ７に使用される送信電力は、図から明らかなように、ＲＡＣＨ試行Ａ６に使用した送信電力にパワーランピングステップサイズ値Ｓ２（この値は第３のセカンダリ時間間隔に有効である）を加えた電力である。ＲＡＣＨ試行Ａ８およびＡ９（これらはＲＡＣＨ手順が依然として正常に完了できなかった場合に行われる）に関しては、それぞれの送信電力は、この場合も、それぞれ前回のＲＡＣＨ試行を基準として、（第３のセカンダリ時間間隔に有効である）パワーランピングステップサイズ値Ｓ２だけ増大させた電力である。
【００９１】
ＲＡＣＨ試行Ａ９は、第３のセカンダリ時間間隔内の最後の試行であり、また上位のプライマリ時間間隔内の最後の試行でもあり、したがって優先順位付けされたランダムアクセス手順全体が、時点Ｔｅｎｄにおいて終了する。
【００９２】
なお、図８に示したようにプライマリ時間間隔内に３つのセカンダリ時間間隔が存在することは一例にすぎず、プライマリ時間間隔は別の数のセカンダリ時間間隔を含み得ることに留意されたい。例示的な一実施形態によれば、プライマリ時間間隔内に少なくとも２つのセカンダリ時間間隔が提供される。
【００９３】
図９は、第１の実施形態のバリエーションに係る、優先順位付けされたＲＡＣＨ手順におけるＵＥによるＲＡＣＨ試行を示している。
【００９４】
第１の実施形態のこのバリエーションによれば、各セカンダリ時間間隔において、異なるバックオフ値が有効である。図９から理解できるように、第１のセカンダリ時間間隔ではバックオフ値Ｔ０が有効であり、第２のセカンダリ時間間隔ではバックオフ値Ｔ１が有効であり、第３のセカンダリ時間間隔ではバックオフ値Ｔ２が有効である。
【００９５】
本実施形態のこのバリエーションによれば、バックオフ期間のそれぞれの長さは、セカンダリ時間間隔が経過するたびに短くなる。言い換えれば、バックオフ期間Ｔ１はバックオフ期間Ｔ０より短いのに対して、バックオフ期間Ｔ２はバックオフ期間Ｔ１より短い。しかしながらこれは一例にすぎず、したがってさらなる例によれば、より後のセカンダリ時間間隔におけるバックオフ期間を、最初のバックオフ期間Ｔ０と同じとすることもでき、または任意の別のバックオフ期間と同じとすることもできる。さらに、より後のセカンダリ時間間隔におけるバックオフ期間を、それより前のセカンダリ時間間隔のバックオフ期間より長くすることもできる。
【００９６】
図９の図解から理解できるように、第１のセカンダリ時間間隔は、ＲＡＣＨ試行Ａ３とＲＡＣＨ試行Ａ４との間で第２のセカンダリ時間間隔に切り替わる。この図は、２つの連続するセカンダリ時間間隔の間でバックオフ時間が変化する状況にＵＥがどのように対処するかの第１のオプションを示している。図９に例示的に示したこのオプションによれば、ＵＥは、第１のセカンダリ時間間隔の終了時に、次の第２のセカンダリ時間間隔において有効な新しいバックオフ時間Ｔ１が、ＲＡＣＨ試行Ａ３が失敗した時点からすでに経過しているかをチェックする。図示したように、ＵＥは、ＲＡＣＨ試行Ａ３の時点を起点としてバックオフ期間Ｔ１が経過するまで待機するように決定する。バックオフ期間Ｔ１が経過した時点で、新しいＲＡＣＨ試行Ａ４を実行する。
【００９７】
しかしながら、第１のセカンダリ時間間隔の終了の時点でバックオフ期間Ｔ１がすでに経過している場合、ＵＥは第２のセカンダリ時間間隔のちょうど開始時にＲＡＣＨ試行Ａ４を送ることができる。ただし、起こり得るこの状況は図９には示してない。
【００９８】
さらに、図９に示したケースによれば、ＵＥは、ＲＡＣＨ試行Ａ３を実行した後、バックオフ期間Ｔ０を無視する。
【００９９】
同様に、第２のセカンダリ時間間隔は、ＲＡＣＨ試行Ａ７とＲＡＣＨ試行Ａ８との間で第３のセカンダリ時間間隔に切り替わる。図９に示した例示的なオプションによれば、ＵＥは、第２のセカンダリ時間間隔の終了時に、次の第３のセカンダリ時間間隔において有効な新しいバックオフ時間Ｔ２が、ＲＡＣＨ試行Ａ７が失敗した時点からすでに経過しているかをチェックする。図示したように、ＵＥは、ＲＡＣＨ試行Ａ７の時点を起点としてバックオフ期間Ｔ２が経過するまで待機するように決定する。バックオフ期間Ｔ２が経過した時点で、新しいＲＡＣＨ試行Ａ８を実行する。この場合にＵＥは、ＲＡＣＨ試行Ａ７を実行した後、バックオフ期間Ｔ１を無視する。図８に関連してすでに説明したように、図９に示したＲＡＣＨ試行は、上位のプライマリ時間間隔が経過した時点で終了し、したがって優先順位付けされたランダムアクセス手順全体が、時点Ｔｅｎｄにおいて終了する。
【０１００】
図１０は、第１の実施形態のさらなるバリエーションに係る、優先順位付けされたＲＡＣＨ手順におけるＵＥによるＲＡＣＨ試行を示している。
【０１０１】
第１の実施形態のこのバリエーションによれば、図９の説明と同様に、各セカンダリ時間間隔において異なるバックオフ値が有効である。図１０から理解できるように、第１のセカンダリ時間間隔ではバックオフ値Ｔ０が有効であり、第２のセカンダリ時間間隔ではバックオフ値Ｔ１が有効であり、第３のセカンダリ時間間隔ではバックオフ値Ｔ２が有効である。
【０１０２】
本実施形態のこのバリエーションによれば、図９の説明と同様に、バックオフ期間のそれぞれの長さは、セカンダリ時間間隔が経過するたびに短くなる。言い換えれば、バックオフ期間Ｔ１はバックオフ期間Ｔ０より短いのに対して、バックオフ期間Ｔ２はバックオフ期間Ｔ１より短い。しかしながらこれは一例にすぎず、したがってさらなる例によれば、より後のセカンダリ時間間隔におけるバックオフ期間を、最初のバックオフ期間Ｔ０と同じとすることもでき、または任意の別のバックオフ期間と同じとすることもできる。さらに、より後のセカンダリ時間間隔におけるバックオフ期間を、それより前のセカンダリ時間間隔のバックオフ期間より長くすることもできる。
【０１０３】
図１０の図解から理解できるように、第１のセカンダリ時間間隔は、ＲＡＣＨ試行Ａ３の後にバックオフ期間Ｔ０が経過する前に第２のセカンダリ時間間隔に切り替わる。この図は、２つの連続するセカンダリ時間間隔の間でバックオフ時間が変化する状況にＵＥがどのように対処するかのさらなるオプション（図９に示したオプションと比較したとき）を示している。図１０に例示的に示したオプションによれば、ＵＥは、ＲＡＣＨ試行Ａ３の送信後、新しい有効なバックオフ時間Ｔ１がすでに経過したか否かにかかわらず、いずれの場合にも、第２のセカンダリ時間間隔の開始時にただちにＲＡＣＨ試行Ａ４を実行する。
【０１０４】
したがって、図１０に示したケースによれば、ＵＥは、ＲＡＣＨ試行Ａ３を実行した後、バックオフ期間Ｔ０を無視する。
【０１０５】
同様に、第２のセカンダリ時間間隔は、ＲＡＣＨ試行Ａ８の後、バックオフ期間Ｔ１が経過する前に第３のセカンダリ時間間隔に切り替わる。図示したように、図１０に例示的に示したオプションによれば、ＵＥは、ＲＡＣＨ試行Ａ８の送信後、新しい有効なバックオフ時間Ｔ２がすでに経過したか否かにかかわらず、いずれの場合にも、第３のセカンダリ時間間隔の開始時にただちにＲＡＣＨ試行Ａ９を送信する。
【０１０６】
したがって、図１０に示したケースによれば、ＵＥは、ＲＡＣＨ試行Ａ８を実行した後、バックオフ期間Ｔ１を無視する。
【０１０７】
図１０では、図９に関連して説明したオプションとの比較からさらに理解できるように、ＲＡＣＨ試行Ａ８とＲＡＣＨ試行Ａ９との間の時間間隔は、時間長０からバックオフ時間長Ｔ１までの範囲内の時間長となりうる。
【０１０８】
図８に関連してすでに説明したように、図１０に示したＲＡＣＨ試行は、上位のプライマリ時間間隔が経過した時点で終了し、したがって優先順位付けされたランダムアクセス手順全体が、時点Ｔｅｎｄにおいて終了する。
【０１０９】
図１１は、第１の実施形態に係る、ＵＥ／ハンドオーバ元（ソース）ｇＮＢとＵＥ／ハンドオーバ先（ターゲット）ｇＮＢの間の競合ベースのハンドオーバシナリオを示している。
【０１１０】
この例示的なシナリオによれば、基地局は、ハンドオーバ元基地局（ハンドオーバ元ｇＮＢ）の役割を果たす。ステップ１においては、ＵＥから測定報告を受信する。次にハンドオーバ元ｇＮＢは、ステップ２において、この測定報告をハンドオーバ先ｇＮＢに転送する。
【０１１１】
ハンドオーバ先ｇＮＢは、ハンドオーバ元ｇＮＢから測定報告を受信すると、ＵＥがハンドオーバ先ｇＮＢとのＲＡＣＨ試行に使用するための、新しいターゲットセルに関連するランダムアクセス設定パラメータを設定する。一例によれば、新しいターゲットセルに関連するこれらのランダムアクセス設定パラメータは、新しい初期電力値、新しいパワーランピングステップサイズ値、新しい複数のパワーステップサイズ値、新しいシングルバックオフ値、新しい複数のバックオフ値、プライマリ時間間隔およびセカンダリ時間間隔の長さの新しい指示情報、ＵＥによって考慮されるＲＡＣＨ試行の最大回数、の少なくとも１つ、を含むことができる。
【０１１２】
ステップ３においては、ハンドオーバ元ｇＮＢが、ターゲットセルに関連する新しいランダムアクセス設定パラメータをハンドオーバ先ｇＮＢから受信する。
【０１１３】
ステップ４においては、ハンドオーバ元ｇＮＢは、ターゲットセルに関連する新しいランダムアクセス設定パラメータをＵＥに転送し、したがってＵＥは、ハンドオーバ先ｇＮＢとのＲＡＣＨ手順を実行するときにこれらのパラメータを考慮することができる。
【０１１４】
この例示的な競合ベースのハンドオーバシナリオによれば、プライマリタイマーが切れる、またはＲＡＣＨ試行カウンタがＲＡＣＨ試行の最大回数に達した時点で、ランダムアクセス設定パラメータはもはや有効ではなく、ＵＥは、さらなるＲＡＣＨ試行を実行しない。この場合にＵＥは、ハンドオーバ手順の失敗を上位層に通知する。
【０１１５】
図１２は、第１の実施形態のさらなるバリエーションに係る、２ステップＲＡＣＨ手順においてｇＮＢがＵＥにバックオフ値を提供するシナリオを示している。
【０１１６】
この図は、基地局がランダムアクセス設定パラメータによってバックオフ値を設定しないケースに関する。この図示したケースによれば、ＵＥは、図１２に示したように２ステップのＲＡＣＨ手順のメッセージ１には、初期電力値（これは専用メッセージ、すなわち前に受信したランダムアクセス設定パラメータの中で基地局によって示される）を使用する。この実施形態によれば、ＵＥは、メッセージ１（４ステップのＲＡＣＨ手順時に使用されるメッセージ１とメッセージ３の組合せである）において、ＲＡＣＨプリアンブルと、ＵＥの識別情報と、ＵＥが優先順位付けされるＲＡＣＨ手順を使用するのか通常のＲＡＣＨ手順を使用するのかの指示情報とを送信する。この方法によって基地局は、ＵＥが優先順位付けされるＲＡＣＨ手順を使用するのか通常のＲＡＣＨ手順を使用するのかを認識する。
【０１１７】
基地局は、図１２に示したようにメッセージ１を受信した時点で、メッセージ２によってＵＥに応答し、メッセージ２は、メッセージ１の中でＵＥによって提供された「通常のＲＡＣＨ手順／優先順位付けされるＲＡＣＨ手順」の指示情報に基づいたバックオフ値を含むことができる。この点に関して、基地局は、ＵＥが優先順位付けされたＲＡＣＨ手順を実行するのか通常のＲＡＣＨ手順を実行するのかの指示情報をＵＥからメッセージ１の中で受信した後にはじめて、メッセージ２の中のバックオフ値を設定する。例えば、メッセージ１の中で優先順位付けされるＲＡＣＨ手順が示される場合、基地局は、何回かのＲＡＣＨ試行の間のより短い間隔を可能にすることでＲＡＣＨ手順が成功する可能性を有利に高めるため、より短いバックオフ値を決定してメッセージ２の中でＵＥに示す。
【０１１８】
［実施形態２］
第２の実施形態においては、実施形態１において提供される手順の代替として、優先順位付けされるランダムアクセス手順のさらなる実装形態を説明する。
【０１１９】
実施形態２によれば、基地局から専用シグナリングを介してＵＥに送信されるランダムアクセス設定パラメータは、セカンダリ時間間隔の存在を示さない。したがってこの実施形態によれば、優先順位付けされるＲＡＣＨ手順に対してプライマリ時間間隔のみが示されてＲＡＣＨ手順において使用される。
【０１２０】
この実施形態の第１の例においては、ランダムアクセス設定パラメータは、それぞれのＲＡＣＨ試行に使用される電力値の固定されたセットを指定する。言い換えれば、パワーランピングステップサイズ値を設定パラメータの中で示す必要がない。すなわち、各ＲＡＣＨ試行を、電力値の固定されたセットによって設定される送信電力で送信することができる。一例によれば、ＲＡＣＨ手順は、プライマリ時間間隔の時点Ｔｓｔａｒｔから最小電力値で開始される。その後、電力値は、プライマリ時間間隔が経過するまで、またはＲＡＣＨ手順の最大回数に達するまで、またはＲＡＣＨ手順が正常に完了するまで、ＲＡＣＨ試行が失敗するたびに増大する。
【０１２１】
この実施形態の上記の第１の例に加えて、ランダムアクセス設定パラメータは、何回かのＲＡＣＨ試行を実行するときにＵＥによって使用される一定のバックオフ値をさらに示すことができる。これに代えて、一定のバックオフ値をランダムアクセス設定パラメータの中でシグナリングするのではなく、ＵＥ自身によって事前に定義してもよい。
【０１２２】
この実施形態の上記の第１の例に加えて、ランダムアクセス設定パラメータは、代替方法として、バックオフ値の固定されたセット（時点Ｔｓｔａｒｔにおいて優先順位付けされたＲＡＣＨ手順が開始されるときに最大バックオフ値）をさらに定義することができ、時点Ｔｓｔａｒｔ以降、バックオフ値は、プライマリ時間間隔が経過するまで、またはＲＡＣＨ手順の最大回数に達するまで、またはＲＡＣＨ手順が正常に完了するまで、ＲＡＣＨ試行が失敗するたびに減少する。
【０１２３】
さらに、この実施形態の第２の例として、ランダムアクセス設定パラメータは、それぞれのＲＡＣＨ試行に使用される初期電力値および１つのパワーランピングステップサイズ値を指定し、この場合、初期電力値およびパワーランピングステップサイズ値は基地局によって選択される。一例によれば、電力値は、プライマリ時間間隔が経過するまで、またはＲＡＣＨ手順の最大回数に達するまで、またはＲＡＣＨ手順が正常に完了するまで、ＲＡＣＨ試行が失敗するたびに、一定のステップサイズだけ増大する。
【０１２４】
この実施形態の上記の第２の例に加えて、ランダムアクセス設定パラメータは、何回かのＲＡＣＨ試行を実行するときにＵＥによって使用される一定のバックオフ値をさらに示すことができる。これに代えて、一定のバックオフ値をランダムアクセス設定パラメータの中でシグナリングするのではなく、ＵＥ自身によって事前に定義してもよい。
【０１２５】
［他の態様］
第１の態様によれば、ユーザ機器であって、動作時、ユーザ機器が位置している移動通信システムの無線セル、を制御する基地局からランダムアクセス設定パラメータを受信する受信機、を備えたユーザ機器、を提供する。本ユーザ機器はプロセッサをさらに備えており、プロセッサは、動作時、プライマリ時間間隔が終了するまでの期間にわたり、またはＲＡＣＨ手順の最大回数に達するまで、または基地局との優先順位付けされたランダムアクセス手順が正常に完了するまで、受信されたランダムアクセス設定パラメータに基づいて、基地局との優先順位付けされたランダムアクセス手順を繰り返し実行するように制御する。プライマリ時間間隔は、複数のセカンダリ時間間隔を含む。プロセッサは、優先順位付けされたランダムアクセス手順を繰り返し実行するように制御するとき、少なくとも１回の優先順位付けされたランダムアクセス手順が実行されるそれぞれのセカンダリ時間間隔の持続時間において有効なランダムアクセスパラメータを、受信されたランダムアクセス設定パラメータに基づいて、かつそれぞれのセカンダリ時間間隔に応じて、求める。本ユーザ機器は送信機をさらに備えており、送信機は、動作時、それぞれの優先順位付けされたランダムアクセス手順のメッセージを、求められた有効なランダムアクセスパラメータを使用して送信する。
【０１２６】
第１の態様に加えて提供される第２の態様によれば、ランダムアクセス設定パラメータは、
・  優先順位付けされた最初のランダムアクセス手順に使用される初期電力値、および、
・  複数のパワーランピングステップサイズ値であって、各値が、それぞれのセカンダリ時間間隔内で実行される優先順位付けされた各ランダムアクセス手順に使用される、前回の電力値からの増分を示す、複数のパワーランピングステップサイズ値、
を含む。
【０１２７】
第２の態様に加えて提供される第３の態様によれば、パワーランピングステップサイズ値は、セカンダリ時間間隔が経過するたびに増大する。
【０１２８】
第１の態様から第３の態様のいずれか一態様に加えて提供される第４の態様によれば、ランダムアクセス設定パラメータは、２回の連続する優先順位付けされたランダムアクセス手順の間の待機時間を示すシングルバックオフ値をさらに含み、シングルバックオフ値が、すべてのセカンダリ時間間隔に適用可能である。
【０１２９】
第１の態様から第３の態様のいずれか一態様に加えて提供される第５の態様によれば、ランダムアクセス設定パラメータは、複数のバックオフ値を含み、各バックオフ値が、それぞれのセカンダリ時間間隔内の２回の連続する優先順位付けされたランダムアクセス手順の間のそれぞれの待機時間を示し、
・  オプションとして、複数のバックオフ値が、セカンダリ時間間隔が経過するたびに変化する、
・  オプションとして、複数のバックオフ値が、セカンダリ時間間隔が経過するたびに減少する、
・  オプションとして、複数のバックオフ値が、セカンダリ時間間隔が経過するたびに増大する、および、
・  オプションとして、複数のバックオフ値が、複数のセカンダリ時間間隔全体を通じて使用される、増大する値、減少する値、および一定の値、の所定の組合せ、である。
【０１３０】
第１の態様から第５の態様のいずれか一態様に加えて提供される第６の態様によれば、プロセッサは、動作時、各プライマリ時間間隔を対象に、プライマリ時間間隔が経過したかを判定するための第１のタイマーまたは第１のカウンタ、をさらに制御する。
【０１３１】
第１の態様から第６の態様のいずれか一態様に加えて提供される第７の態様によれば、プロセッサは、動作時、各セカンダリ時間間隔を対象に、セカンダリ時間間隔が経過したかを判定するための第２のタイマーまたは第２のカウンタ、をさらに制御する。
【０１３２】
第１の態様から第７の態様のいずれか一態様に加えて提供される第８の態様によれば、受信機は、動作時、ランダムアクセス設定パラメータを、無線リソース制御（ＲＲＣ）層もしくは媒体アクセス制御（ＭＡＣ）層を使用する専用シグナリングを介して、またはダウンリンク制御情報の中で、基地局から受信する。
【０１３３】
第１の態様から第８の態様のいずれか一態様に加えて提供される第９の態様によれば、プロセッサは、動作時、競合ベースのランダムアクセスを使用するハンドオーバ時に、または競合ベースのビーム失敗リカバリ時に、優先順位付けされたランダムアクセス手順を繰り返し実行するように制御する。
【０１３４】
第１の態様から第９の態様のいずれか一態様に加えて提供される第１０の態様によれば、プロセッサは、動作時、プライマリ時間間隔が経過した場合、ビーム失敗リカバリの失敗、またはハンドオーバの失敗を、基地局に通知するように制御する。
【０１３５】
第２の態様から第１０の態様のいずれか一態様に加えて提供される第１１の態様によれば、セカンダリ時間間隔の数は、基地局によって設定可能であり、かつ、ランダムアクセス設定パラメータにさらに含まれており、セカンダリ時間間隔の最大数が、利用可能なパワーランピングステップサイズ値の数に一致している。
【０１３６】
第１２の態様によれば、ユーザ機器が位置している移動通信システムの無線セル、を制御する基地局であって、基地局が受信機を備えており、受信機が、動作時、ユーザ機器からチャネル状態情報（ＣＳＩ）報告および／または測定報告を受信する、基地局、を提供する。本基地局はプロセッサをさらに備えており、プロセッサは、動作時、複数のセカンダリ時間間隔を含むプライマリ時間間隔内で基地局との優先順位付けされたランダムアクセス手順を繰り返し実行するためにユーザ機器によって使用されるランダムアクセス設定パラメータを、受信されたＣＳＩ報告および／または受信された測定報告に基づいて、決定する。本基地局は送信機をさらに備えており、送信機は、動作時、ユーザ機器が、少なくとも１回の優先順位付けされたランダムアクセス手順が実行されるそれぞれのセカンダリ時間間隔の持続時間において有効なランダムアクセスパラメータを、ランダムアクセス設定パラメータに基づいて、かつそれぞれのセカンダリ時間間隔に応じて、求めることができるように、決定されたランダムアクセス設定パラメータをユーザ機器に送信する。
【０１３７】
第１２の態様に加えて提供される第１３の態様によれば、ランダムアクセス設定パラメータは、
・  優先順位付けされた最初のランダムアクセス手順においてユーザ機器によって使用される初期電力値、および、
・  複数のパワーランピングステップサイズ値であって、各値が、それぞれのセカンダリ時間間隔内で実行される優先順位付けされた各ランダムアクセス手順においてユーザ機器によって使用される、前回の電力値からの増分を示し、複数のセカンダリ時間間隔がプライマリ時間間隔に含まれる、複数のパワーランピングステップサイズ値、
を含む。
【０１３８】
第１３の態様に加えて提供される第１４の態様によれば、パワーランピングステップサイズは、セカンダリ時間間隔が経過するたびに増大する。
【０１３９】
第１２の態様から第１４の態様のいずれか一態様に加えて提供される第１５の態様によれば、ランダムアクセス設定パラメータは、２回の連続する優先順位付けされたランダムアクセス手順の間の待機時間を示すシングルバックオフ値をさらに含み、シングルバックオフ値は、すべてのセカンダリ時間間隔に適用可能である。
【０１４０】
第１２の態様から第１４の態様のいずれか一態様に加えて提供される第１６の態様によれば、ランダムアクセス設定パラメータは、複数のバックオフ値を含み、各バックオフ値が、それぞれのセカンダリ時間間隔内の２回の連続する優先順位付けされたランダムアクセス手順の間のそれぞれの待機時間を示し、
・  オプションとして、複数のバックオフ値が、セカンダリ時間間隔が経過するたびに変化する、
・  オプションとして、複数のバックオフ値が、セカンダリ時間間隔が経過するたびに減少する、
・  オプションとして、複数のバックオフ値が、セカンダリ時間間隔が経過するたびに増大する、および、
・  オプションとして、複数のバックオフ値が、複数のセカンダリ時間間隔全体を通じて使用される、増大する値、減少する値、および一定の値、の所定の組合せ、である。
【０１４１】
第１２の態様から第１６の態様のいずれか一態様に加えて提供される第１７の態様によれば、ランダムアクセス設定パラメータは、セカンダリ時間間隔の数をさらに含み、セカンダリ時間間隔の最大数が、利用可能なパワーランピングステップサイズ値の数に一致している。
【０１４２】
第１３の態様から第１７の態様のいずれか一態様に加えて提供される第１８の態様によれば、プロセッサは、動作時、受信されたＣＳＩ報告および／または受信された測定報告が低いチャネル品質を示している場合、大きいパワーランピングステップサイズを決定し、プロセッサは、動作時、受信されたＣＳＩ報告および／または受信された測定報告が高いチャネル品質を示している場合、小さいパワーランピングステップサイズを決定する。
【０１４３】
第１２の態様から第１７の態様のいずれか一態様に加えて提供される第１９の態様によれば、プロセッサは、動作時、ランダムアクセス設定パラメータを、無線リソース制御（ＲＲＣ）層もしくは媒体アクセス制御（ＭＡＣ）層を使用する専用シグナリングを介して、またはダウンリンク制御情報の中で、ユーザ機器に送信するように制御する。
【０１４４】
第１２の態様から第１８の態様のいずれか一態様に加えて提供される第２０の態様によれば、プロセッサは、動作時、更新されたランダムアクセス設定パラメータをユーザ機器に送信しなければならないかを、受信されたＣＳＩ報告と、前に受信されたＣＳＩ報告との比較に基づいて判定し、送信機は、動作時、プロセッサが更新されたランダムアクセス設定パラメータを決定した場合に、更新されたランダムアクセス設定パラメータをユーザ機器に送信する。
【０１４５】
第１２の態様から第１９の態様のいずれか一態様に加えて提供される第２１の態様によれば、本基地局は、ハンドオーバ元基地局の役割を果たし、
・  受信機が、動作時、ユーザ機器から測定報告を受信し、
・  プロセッサが、動作時、受信された測定報告をハンドオーバ先基地局に転送するように制御し、
・  受信機が、動作時、優先順位付けされたランダムアクセス手順をターゲットセル内で実行するためにユーザ機器によって使用される、ターゲットセルに関連するランダムアクセス設定パラメータを、ハンドオーバ先基地局から受信し、
・  送信機が、動作時、受信された測定報告をハンドオーバ先基地局に転送し、ターゲットセルに関連するランダムアクセス設定パラメータをユーザ機器に転送する。
【０１４６】
［ハードウェアおよびソフトウェアによる本開示の実施］
本開示は、ソフトウェアによって、ハードウェアによって、またはハードウェアと協働するソフトウェアによって、実施することができる。上に記載した各実施形態の説明において使用される各機能ブロックは、その一部または全体を、集積回路などのＬＳＩによって実施することができ、各実施形態において説明した各プロセスは、その一部または全体を、同じＬＳＩまたはＬＳＩの組合せによって制御することができる。ＬＳＩはチップとして個別に形成することができ、または、機能ブロックの一部またはすべてが含まれるように１個のチップを形成することができる。ＬＳＩは、自身に結合されたデータ入出力部を含むことができる。ＬＳＩは、本明細書においては、集積度の違いに応じて、ＩＣ（集積回路）、システムＬＳＩ、スーパーＬＳＩ、またはウルトラＬＳＩと称される。しかしながら、集積回路を実施する技術は、ＬＳＩに限定されず、専用回路、汎用プロセッサ、または専用プロセッサを使用することによって実現されていてもよい。さらには、ＬＳＩの製造後にプログラムすることのできるＦＰＧＡ（フィールドプログラマブルゲートアレイ）や、ＬＳＩ内部に配置されている回路セルの接続および設定を再設定できるリコンフィギャラブルプロセッサを使用してもよい。本開示は、デジタル処理またはアナログ処理として実施することができる。半導体技術または別の派生技術が進歩する結果として将来の集積回路技術がＬＳＩに置き換わる場合、その将来の集積回路技術を使用して機能ブロックを集積化することができる。バイオテクノロジを適用することもできる。
【０１４７】
さらに、様々な実施形態は、ソフトウェアモジュールによっても実施され得る。これらのソフトウェアモジュールは、プロセッサによって実行される、または、ハードウェアにおいて直接実行される。また、ソフトウェアモジュールとハードウェア実装の組合せも可能である。ソフトウェアモジュールは、任意の種類のコンピュータ可読記憶媒体、例えば、ＲＡＭやＥＰＲＯＭ、ＥＥＰＲＯＭ、フラッシュメモリ、レジスタ、ハードディスク、ＣＤ−ＲＯＭ、ＤＶＤなどに格納され得る。さらには、複数の異なる実施形態の個々の特徴は、個々に、または任意の組合せにおいて、別の実施形態の主題とすることができることに留意されたい。
【０１４８】
具体的な実施形態に示した本開示には、広義に記載されている本発明の概念または範囲から逸脱することなく、様々な変更および／または修正を行うことができることが、当業者には理解されるであろう。したがって、本明細書に示した実施形態は、あらゆる点において例示的であり、本発明を制限するものではないものとみなされる。
【図１】
2021514132.tif 000003
【図２】
2021514132.tif 000004
【図３】
2021514132.tif 000005
【図４】
2021514132.tif 000006
【図５】
2021514132.tif 000007
【図６】
2021514132.tif 000008
【図７】
2021514132.tif 000009
【図８】
2021514132.tif 000010
【図９】
2021514132.tif 000011
【図１０】
2021514132.tif 000012
【図１１】
2021514132.tif 000013
【図１２】
2021514132.tif 000014
【国際調査報告】
2021514132.tif 000015
2021514132.tif 000016